(57)【要約】【課題】姿勢補整用ボトムズにおいて、意識しなくても着用するだけで臀部が引き締められて正しい姿勢をとることができ、さらに着用して歩行するだけで正しい歩き方ができて、筋肉に刺激を与え大臀筋・中臀筋が鍛えられて美しいプロポーションを得られること。【解決手段】姿勢補整用ズボン１を着用することによって、羽根部材５には伸縮性による引っ張り力がかかり、着用者の臀部が効果的に引き締められ、臀部が軽く上に引き上げられて骨盤を安定させる力が強くなり、座ったときに最も背筋が伸びるので正しい姿勢で座ることができ、かつ正しい姿勢で立ち、正しい姿勢で歩くことができる。さらに、臀部が引き締められたときに臀部に生ずる１対の小さい窪みの位置ＨＥＰが１対の分岐部分５ａ，５ｂで押えられる位置にあるため、着用者の臀部が引き締まって小尻になるとともにヒップアップの効果も得られる。【選択図】図２
2008050718.tif 000002
【特許請求の範囲】
【請求項１】
ボトムズ本体と、前記ボトムズ本体の裏側の少なくとも臀部を覆うように前記ボトムズ本体の裏側に縫付けられた裏地と、伸縮性を有する生地からなる１対の分岐部分を有する略Ｔ字形の羽根部材とを具備する姿勢補整用ボトムズであって、
前記ボトムズ本体の裏側前部に前記羽根部材の分岐していない側の端が縫付けられ、前記裏地の臀部に前記１対の分岐部分の周囲の部分が縫付けられていることを特徴とする姿勢補整用ボトムズ。
【請求項２】
ボトムズ本体と、前記ボトムズ本体の裏側の少なくとも臀部を覆うように前記ボトムズ本体の裏側の股下縫代にその一端が縫付けられた裏地と、伸縮性を有する生地からなる１対の分岐部分を有する略Ｔ字形の羽根部材とを具備する姿勢補整用ボトムズであって、
前記ボトムズ本体の前記股下縫代に前記羽根部材の分岐していない側の端が縫付けられ、前記裏地の臀部に前記１対の分岐部分の周囲の部分が縫付けられていることを特徴とする姿勢補整用ボトムズ。
【請求項３】
前記羽根部材の分岐していない側の端及び前記裏地の一端が片倒しされた前記股下縫代に２本のステッチ縫いで縫付けられていることを特徴とする請求項２に記載の姿勢補整用ボトムズ。
【請求項４】
ボトムズ本体と、前記ボトムズ本体の裏側の少なくとも臀部を覆うように前記ボトムズ本体の裏側に縫付けられた裏地と、伸縮性を有する生地からなる１対の分岐部分と１対の前部分岐部分とを有する略Ｔ字形の下端が分岐した形状を有する羽根部材とを具備する姿勢補整用ボトムズであって、
前記ボトムズ本体の裏側前部上端に前記羽根部材の前記１対の前部分岐部分の先端が縫付けられ、前記裏地の臀部に前記１対の分岐部分の周囲の部分が縫付けられていることを特徴とする姿勢補整用ボトムズ。
【請求項５】
前記羽根部材が前記１対の分岐部分と前記１対の前部分岐部分との間に枝部分を有しており、前記枝部分は前記裏地の股下近傍に縫付けられていることを特徴とする請求項４に記載の姿勢補整用ボトムズ。
【請求項６】
前記裏地が前記ボトムズ本体の裏側前部の二つに割られた股上縫代または片倒しされた股上縫代の一ヶ所にステッチ止めされていることを特徴とする請求項１乃至請求項５のいずれか１つに記載の姿勢補整用ボトムズ。
【請求項７】
前記裏地が伸縮性を有する生地からなることを特徴とする請求項１乃至請求項６のいずれか１つに記載の姿勢補整用ボトムズ。
【請求項８】
前記羽根部材の前記１対の分岐部分の周囲の部分が前記ボトムズ本体と前記裏地との間において前記裏地に縫付けられており、前記裏地が前記ボトムズ本体の裏側の腰周りから股下までのほぼ全面を覆う大きさを有することを特徴とする請求項７に記載の姿勢補整用ボトムズ。
【請求項９】
前記羽根部材の前記１対の分岐部分の周囲の部分が前記ボトムズ本体と前記裏地との間において前記裏地に縫付けられており、前記裏地が前記ボトムズ本体の裏側の腰周りから脚部先端までのほぼ全面を覆う大きさを有することを特徴とする請求項７に記載の姿勢補整用ボトムズ。
【請求項１０】
前記羽根部材の前記１対の分岐部分の周囲の部分が前記ボトムズ本体と前記裏地との間において前記裏地に縫付けられており、前記裏地が伸縮性のない生地からなり、少なくとも前記ボトムズ本体の裏側の腰周りから股下までのほぼ全面を覆う大きさを有することを特徴とする請求項１乃至請求項６のいずれか１つに記載の姿勢補整用ボトムズ。
【請求項１１】
前記羽根部材の前記１対の分岐部分の周囲の部分が前記ボトムズ本体と前記裏地との間において前記裏地に縫付けられており、前記裏地が伸縮性のない生地からなり、前記ボトムズ本体の裏側の腰周りから脚部先端までのほぼ全面を覆う大きさを有することを特徴とする請求項１乃至請求項６のいずれか１つに記載の姿勢補整用ボトムズ。
【請求項１２】
前記羽根部材に引っ張り力を掛けながら縫付ける際の引っ張り長さは１ｃｍから３ｃｍの範囲内であることを特徴とする請求項１乃至請求項１１のいずれか１つに記載の姿勢補整用ボトムズ。
【請求項１３】
前記羽根部材の前記１対の分岐部分が、前記着用者が前記姿勢補整用ボトムズを着用したときに前記着用者の臀部に生ずる左右１対の笑窪様の小さい窪みを覆う大きさであることを特徴とする請求項１乃至請求項１２のいずれか１つに記載の姿勢補整用ボトムズ。
【請求項１４】
前記羽根部材の前記分岐していない側または前記１対の前部分岐部分が前記ボトムズ本体の裏側の前部または前記下着本体の裏側若しくは表側の前部に縫付けられておらず、
前記羽根部材の前記分岐していない側または前記１対の前部分岐部分と前記ボトムズ本体の裏側の前部または前記下着本体の裏側若しくは表側の前部とは、前記羽根部材の前記分岐していない側または前記１対の前部分岐部分と、前記ボトムズ本体の裏側の前部または前記下着本体の裏側若しくは表側の前部とに取付けられた複数の接続位置を選択できる１組または２組の調節機能付き接続具によって接続されることを特徴とする請求項１乃至請求項１３のいずれか１つに記載の姿勢補整用ボトムズ。
【請求項１５】
前記羽根部材の前記１対の分岐部分の先端及び／または前記１対の前部分岐部分の先端が丸みのある形状となっていることを特徴とする請求項１乃至請求項１４のいずれか１つに記載の姿勢補整用ボトムズ。
【請求項１６】
前記伸縮性を有する生地はパワーネット、サテンネット（ストレッチサテン）、ストレッチレースのいずれかであることを特徴とする請求項１乃至請求項１５のいずれか１つに記載の姿勢補整用ボトムズ。
【発明の詳細な説明】
【技術分野】
【０００１】
本発明は、着用するだけで臀部の弛みを引き締めて、背筋を伸ばし下腹を引き締めた正しい姿勢に補整するとともに、着用して歩行するだけでバランスの取れた正しい歩き方をすることができ、かつヒップアップ効果を得ることができる姿勢補整用ボトムズに関するものである。
【０００２】
ここで、「ボトムズ（ボトムスとも言うが、本明細書、特許請求の範囲、図面、要約書においてはボトムズに統一する。）」とは、紳士用ズボン（パンツ）、女性用パンツ、クロップトパンツ、スラックス、Ｇパン（ジーンズ）、綿パン、チノパン、パンタロン、タイトスカート・フレアスカート・プリーツスカート等のスカート、キュロットスカート、キュロットパンツ、等の下半身に着用するボトムズを意味するものとする。
【背景技術】
【０００３】
現代人は、座るときも立つときも歩くときも姿勢が悪い人が多く、このような悪い姿勢を続けることによって健康にも害を及ぼすだけでなく、特に女性にとっては重要な美しいプロポーションをも維持できないという大きな問題を生じている。美しいプロポーション作りの基本は、正しい座り方・正しい立ち方・正しい歩き方の三点であり、即ち常に正しい姿勢を取ることが極めて重要である。
【０００４】
従来、ボトムズの下に着用するガードル等の衣類において、体形補整機能または筋肉サポート機能を付与するため、ガードル等の衣類本体生地をジャガード編みからなる生地で構成し、緊迫力の強弱の要求に応じて編み組織を切り替えて、組織の変化によって所定部分に比較的緊迫力の強い部分と緊迫力の弱い部分をパターン状に形成する技術が知られている（特許文献１）。これによって、ガードル等の衣類に急激な段差を生ずることなく、体形補整機能または筋肉サポート機能を付与することができるとしている。
【０００５】
さらに、特許文献２に開示された発明においては、ガードル等の衣類において腹部布と左右身頃布がそれぞれジャガード編みからなる生地で構成され、腹部布における比較的緊迫力の強い部分と左右身頃布における比較的緊迫力の強い部分とが少なくとも一部において連結する構成としている。これによって、着用者の腹部にかかる緊迫力と腹部以外のヒップ等にかかる緊迫力とを連動させることで、相乗的に体形補整機能を向上させることができるとしている。
【特許文献１】特許第３０２３３３４号公報
【特許文献２】特開２００４−３３９６２３号公報
【発明の開示】
【発明が解決しようとする課題】
【０００６】
しかしながら、これらの発明においては、美しいプロポーション作りの基本である正しい姿勢を維持するという視点が欠けており、本質的に優れた体形補整機能を得ることは困難である。そこで、本質的に優れた体形補整機能を得るためには、正しい姿勢を維持する努力をすることが必要となる。また、歩くときに左右のバランスをしっかり取りながら歩く必要があるが、これらのことを意識して生活するのはかなり困難であり、意識を集中すると強迫観念がストレスを生み、そのストレスが体を硬くしてしまって却って緊張から正しい姿勢が取りづらくなるという問題点があった。
【０００７】
そこで、本発明は、意識しなくても着用するだけで正しい姿勢をとることができ、更に着用して歩行するだけでバランスの取れた正しい歩き方をすることができて、かつヒップアップ効果を得ることができる、男性用の姿勢補整用ズボン・姿勢補整用スラックスや女性用の姿勢補整用パンツ・姿勢補整用スカート等を始めとする姿勢補整用ボトムズの提供を課題とするものである。
【課題を解決するための手段】
【０００８】
請求項１の発明にかかる姿勢補整用ボトムズは、ボトムズ本体と、前記ボトムズ本体の裏側の少なくとも臀部を覆うように前記ボトムズ本体の裏側に縫付けられた裏地と、伸縮性を有する生地からなる１対の分岐部分を有する略Ｔ字形の羽根部材とを具備する姿勢補整用ボトムズであって、前記ボトムズ本体の裏側前部に前記羽根部材の分岐していない側の端が縫付けられ、前記裏地の臀部に前記１対の分岐部分の周囲の部分が縫付けられているものである。
【０００９】
ここで、「ボトムズ本体」とは、紳士用ズボン（パンツ）、女性用パンツ、クロップトパンツ、スラックス、Ｇパン（ジーンズ）、綿パン、チノパン、パンタロン、タイトスカート・フレアスカート・プリーツスカート等のスカート、キュロットスカート、キュロットパンツ、等のボトムズの表地の部分をいう。また、「伸縮性を有する生地」としては、例えば、パワーネット、サテンネット（ストレッチサテン）、ストレッチレース、トリコット、ニット生地、ポリウレタンが１％〜３０％混合されたポリウレタン混合生地、綿ストレッチ、スパンレックス、等がある。
【００１０】
請求項２の発明にかかる姿勢補整用ボトムズは、ボトムズ本体と、前記ボトムズ本体の裏側の少なくとも臀部を覆うように前記ボトムズ本体の裏側の股下縫代にその一端が縫付けられた裏地と、伸縮性を有する生地からなる１対の分岐部分を有する略Ｔ字形の羽根部材とを具備する姿勢補整用ボトムズであって、前記ボトムズ本体の前記股下縫代に前記羽根部材の分岐していない側の端が縫付けられ、前記裏地の臀部に前記１対の分岐部分の周囲の部分が縫付けられているものである。
【００１１】
請求項３の発明にかかる姿勢補整用ボトムズは、請求項２の構成において、前記羽根部材の分岐していない側の端及び前記裏地の一端が片倒しされた前記股下縫代に２本のステッチ縫いで縫付けられているものである。
【００１２】
請求項４の発明にかかる姿勢補整用ボトムズは、ボトムズ本体と、前記ボトムズ本体の裏側の少なくとも臀部を覆うように前記ボトムズ本体の裏側に縫付けられた裏地と、伸縮性を有する生地からなる１対の分岐部分と１対の前部分岐部分とを有する略Ｔ字形の下端が分岐した形状を有する羽根部材とを具備する姿勢補整用ボトムズであって、前記ボトムズ本体の裏側前部上端に前記羽根部材の前記１対の前部分岐部分の先端が縫付けられ、前記裏地の臀部に前記１対の分岐部分の周囲の部分が縫付けられているものである。
【００１３】
請求項５の発明にかかる姿勢補整用ボトムズは、請求項４の構成において、前記羽根部材が前記１対の分岐部分と前記１対の前部分岐部分との間に枝部分を有しており、前記枝部分は前記裏地の股下近傍に縫付けられているものである。
【００１４】
請求項６の発明にかかる姿勢補整用ボトムズは、請求項１乃至請求項５のいずれか１つの構成において、前記裏地が前記ボトムズ本体の裏側前部の二つに割られた股上縫代または片倒しされた股上縫代の一ヶ所にステッチ止めされているものである。
【００１５】
請求項７の発明にかかる姿勢補整用ボトムズは、請求項１乃至請求項６のいずれか１つの構成において、前記裏地が伸縮性を有する生地からなるものである。ここで、「伸縮性を有する生地」としては、例えば、トリコット、ニット生地、ポリウレタンが１％〜３０％混合されたポリウレタン混合生地、綿ストレッチ、スパンレックス、パワーネット、サテンネット（ストレッチサテン）、ストレッチレース、等がある。
【００１６】
請求項８の発明にかかる姿勢補整用ボトムズは、請求項７の構成において、前記羽根部材の前記１対の分岐部分の周囲の部分が前記ボトムズ本体と前記裏地との間において前記裏地に縫付けられており、前記裏地が前記ボトムズ本体の裏側の腰周りから股下までのほぼ全面を覆う大きさを有するものである。
【００１７】
請求項９の発明にかかる姿勢補整用ボトムズは、請求項７の構成において、前記羽根部材の前記１対の分岐部分の周囲の部分が前記ボトムズ本体と前記裏地との間において前記裏地に縫付けられており、前記裏地が前記ボトムズ本体の裏側の腰周りから脚部先端までのほぼ全面を覆う大きさを有するものである。
【００１８】
請求項１０の発明にかかる姿勢補整用ボトムズは、請求項１乃至請求項６のいずれか１つの構成において、前記羽根部材の前記１対の分岐部分の周囲の部分が前記ボトムズ本体と前記裏地との間において前記裏地に縫付けられており、前記裏地が伸縮性のない生地からなり、少なくとも前記ボトムズ本体の裏側の腰周りから股下までのほぼ全面を覆う大きさを有するものである。ここで、「伸縮性のない生地」としては、例えば、ポリエステル、ナイロン、アクリル、絹（シルク）、麻、等がある。
【００１９】
請求項１１の発明にかかる姿勢補整用ボトムズは、請求項１乃至請求項６のいずれか１つの構成において、前記羽根部材の前記１対の分岐部分の周囲の部分が前記ボトムズ本体と前記裏地との間において前記裏地に縫付けられており、前記裏地が伸縮性のない生地からなり、前記ボトムズ本体の裏側の腰周りから脚部先端までのほぼ全面を覆う大きさを有するものである。ここで、「伸縮性のない生地」としては、例えば、ポリエステル、ナイロン、アクリル、絹（シルク）、麻、等がある。
【００２０】
請求項１２の発明にかかる姿勢補整用ボトムズは、請求項１乃至請求項１１のいずれか１つの構成において、前記羽根部材に引っ張り力を掛けながら縫付ける際の引っ張り長さは１ｃｍから３ｃｍの範囲内であるものである。
【００２１】
請求項１３の発明にかかる姿勢補整用ボトムズは、請求項１乃至請求項１２のいずれか１つの構成において、前記羽根部材の前記１対の分岐部分が、前記着用者が前記姿勢補整用ボトムズを着用したときに前記着用者の臀部に生ずる左右１対の笑窪様の小さい窪みを覆う大きさであるものである。
【００２２】
請求項１４の発明にかかる姿勢補整用ボトムズは、請求項１乃至請求項１３のいずれか１つの構成において、前記羽根部材の前記分岐していない側または前記１対の前部分岐部分が前記ボトムズ本体の裏側の前部に縫付けられておらず、前記羽根部材の前記分岐していない側または前記１対の前部分岐部分と前記ボトムズ本体の裏側の前部とは、前記羽根部材の前記分岐していない側または前記１対の前部分岐部分と、前記ボトムズ本体の裏側の前部とに取付けられた複数の接続位置を選択できる１組または２組の調節機能付き接続具によって接続されるものである。
【００２３】
ここで、「調節機能付き接続具」としては、例えば、長さ方向の複数の位置にメンカンを取付けたものと、その複数のメンカンのいずれにも嵌合するカギホックを布地に取付けたものとを組にしたものや、長さ方向の複数の位置に凹側のホックを取付けたものと、その複数の凹側のホックのいずれにも嵌合する凸側のホックを布地に取付けたものとを組にしたものや、長さ方向の複数の位置に凹側のドット釦を取付けたものと、その複数の凹側のドット釦のいずれにも嵌合する凸側のドット釦を布地に取付けたものとを組にしたものや、一組の接続布（マジックテープ（登録商標））や、長さ方向の複数の位置に凹側のスプリングホックを取付けたものと、その複数の凹側のスプリングホックのいずれにも嵌合する凸側のスプリングホックを布地に取付けたものとを組にしたもの、等がある。
【００２４】
請求項１５の発明にかかる姿勢補整用ボトムズは、請求項１乃至請求項１４のいずれか１つの構成において、前記羽根部材の前記１対の分岐部分の先端及び／または前記１対の前部分岐部分の先端が丸みのある形状となっているものである。
【００２５】
請求項１６の発明にかかる姿勢補整用ボトムズは、請求項１乃至請求項１５のいずれか１つの構成において、前記伸縮性を有する生地はパワーネット、サテンネット（ストレッチサテン）、ストレッチレースのいずれかであるものである。
【発明の効果】
【００２６】
請求項１の発明にかかる姿勢補整用ボトムズは、ボトムズ本体と、ボトムズ本体の裏側の少なくとも臀部を覆うようにボトムズ本体の裏側に縫付けられた裏地と、伸縮性を有する生地からなる１対の分岐部分を有する略Ｔ字形の羽根部材とを具備する姿勢補整用ボトムズであって、ボトムズ本体の裏側前部に羽根部材の分岐していない側の端が縫付けられ、裏地の臀部に１対の分岐部分の周囲の部分が縫付けられている。
【００２７】
ここで、「ボトムズ本体」とは、紳士用ズボン（パンツ）、女性用パンツ、クロップトパンツ、スラックス、Ｇパン（ジーンズ）、綿パン、チノパン、パンタロン、タイトスカート・フレアスカート・プリーツスカート等のスカート、キュロットスカート、キュロットパンツ、等のボトムズの表地の部分をいう。また、「ボトムズ本体の裏側前部」とは、紳士用ズボン（パンツ）、女性用パンツ、クロップトパンツ、スラックス、Ｇパン（ジーンズ）、綿パン、チノパン、パンタロン、キュロットスカート、キュロットパンツ、等の前中心にファスナーを有するボトムズにおいては、下前持ち出しの部分を意味する。
【００２８】
さらに、「伸縮性を有する生地」としては、トリコット、ニット生地、ポリウレタンが１％〜３０％混合したポリウレタン混合生地、綿ストレッチ、スパンレックス、パワーネット、サテンネット（ストレッチサテン）、ストレッチレース、等があるが、羽根部材を構成する生地としては、特にパワーネット、サテンネット（ストレッチサテン）、ストレッチレースが好ましい。
【００２９】
また、裏地としては、ポリエステル、レーヨン、ナイロン、ポリエステルのメッシュ生地、絹（シルク）、麻、麻混、アクリル、サテン、コットンサテン、ニット生地、ポリウレタンが１％〜３０％混合したポリウレタン混合生地、綿ストレッチ、スパンレックス、パワーネット、サテンネット（ストレッチサテン）、ストレッチレース、等の生地を用いることができる。
【００３０】
かかる構成を有する姿勢補整用ボトムズを着用することによって、伸縮性を有する生地からなる羽根部材の１対の分岐部分がヒップをしっかり支えるため、瞬時に引き締め感が得られてヒップの丸みが強調され、ヒップアップの効果が得られる。また、左右の臀部が均等に引き締められるため、正しい姿勢を取ることができるとともにバランスの取れた正しい歩き方ができる。
【００３１】
このようにして、意識しなくても着用するだけで正しい姿勢をとることができ、更に着用して歩行するだけでバランスの取れた正しい歩き方をすることができて、かつヒップアップ効果を得ることができる姿勢補整用ボトムズとなる。
【００３２】
請求項２の発明にかかる姿勢補整用ボトムズは、ボトムズ本体と、ボトムズ本体の裏側の少なくとも臀部を覆うようにボトムズ本体の裏側の股下縫代にその一端が縫付けられた裏地と、伸縮性を有する生地からなる１対の分岐部分を有する略Ｔ字形の羽根部材とを具備する姿勢補整用ボトムズであって、ボトムズ本体の股下縫代に羽根部材の分岐していない側の端が縫付けられ、裏地の臀部に前記１対の分岐部分の周囲の部分が縫付けられている。
【００３３】
かかる構成を有する姿勢補整用ボトムズを着用することによって、伸縮性を有する生地からなる羽根部材の１対の分岐部分がヒップをしっかり支えるため、瞬時に引き締め感が得られてヒップの丸みが強調され、ヒップアップの効果が得られる。また、左右の臀部が均等に引き締められるため、正しい姿勢を取ることができるとともにバランスの取れた正しい歩き方ができる。更に、羽根部材が完全に裏地の下に隠れて裏地を介して着用者に当接するために、股下の違和感がなくなって自然な穿き心地になるとともに、引き締め感やフィット感がより明確に感じられる。そして、見た目にもボトムズ内部には羽根部材が裏地に隠れて見えないため、よりシンプルで美感が向上する。
【００３４】
このようにして、意識しなくても着用するだけで正しい姿勢をとることができ、更に着用して歩行するだけでバランスの取れた正しい歩き方をすることができて、かつヒップアップ効果を得ることができる姿勢補整用ボトムズとなる。
【００３５】
請求項３の発明にかかる姿勢補整用ボトムズは、羽根部材の分岐していない側の端及び裏地の一端が片倒しされた股下縫代に２本のステッチ縫いで縫付けられている。これによって、請求項２に記載の効果に加えて、片倒しされた股下縫代が起き上がる事態が確実に防止されて、裏地と羽根部材とが確実に縫付けられて、安定性のある姿勢補整用ボトムズを得ることができる。
【００３６】
このようにして、意識しなくても着用するだけで正しい姿勢をとることができ、更に着用して歩行するだけでバランスの取れた正しい歩き方をすることができて、かつヒップアップ効果を得ることができる姿勢補整用ボトムズとなる。
【００３７】
請求項４の発明にかかる姿勢補整用ボトムズは、ボトムズ本体と、ボトムズ本体の裏側の少なくとも臀部を覆うようにボトムズ本体の裏側に縫付けられた裏地と、伸縮性を有する生地からなる１対の分岐部分と１対の前部分岐部分とを有する略Ｔ字形の下端が分岐した形状を有する羽根部材とを具備する姿勢補整用ボトムズであって、ボトムズ本体の裏側前部上端に羽根部材の１対の前部分岐部分の先端が縫付けられ、裏地の臀部に１対の分岐部分の周囲の部分が縫付けられている。
【００３８】
これによって、伸縮性を有する生地からなる羽根部材の引っ張り力がより強力になってヒップが効果的に引き締められるとともに、１対の前部分岐部分によって下腹部が押さえ付けられるので、下腹部が引っ込んでより美しいプロポーションを得ることができる。
【００３９】
このようにして、意識しなくても着用するだけで正しい姿勢をとることができ、更に着用して歩行するだけでバランスの取れた正しい歩き方をすることができて、かつヒップアップ効果を得ることができる姿勢補整用ボトムズとなる。
【００４０】
請求項５の発明にかかる姿勢補整用ボトムズは、羽根部材が１対の分岐部分と１対の前部分岐部分との間に枝部分を有しており、枝部分は裏地の股下近傍に縫付けられている。これによって、請求項４に記載の効果に加えて、羽根部材の１対の前部分岐部分の先端がボトムズ本体の裏側前部上端に縫付けられた部分と、１対の分岐部分が裏地の臀部に縫付けられた部分との間の中間地点において、羽根部材が枝部分において裏地に縫付けられているために、長い羽根部材の中間部分が捩れたりずれたりして、ヒップを引き締める効果が半減するとともに穿き心地が悪くなる事態を、確実に防止することができる。
【００４１】
このようにして、意識しなくても着用するだけで正しい姿勢をとることができ、更に着用して歩行するだけでバランスの取れた正しい歩き方をすることができて、かつヒップアップ効果を得ることができる姿勢補整用ボトムズとなる。
【００４２】
請求項６の発明にかかる姿勢補整用ボトムズは、裏地がボトムズ本体の裏側前部の二つに割られた股上縫代または片倒しされた股上縫代の一ヶ所にステッチ止めされている。これによって、請求項１乃至請求項５のいずれか１つに記載の効果に加えて、裏地の股下近傍がボトムズ本体から浮き上がって弛みを生じ、その弛みが着用者の股部にくい込んでしまう事態を確実に防止することができ、穿き心地が損なわれることがない。
【００４３】
このようにして、意識しなくても着用するだけで正しい姿勢をとることができ、更に着用して歩行するだけでバランスの取れた正しい歩き方をすることができて、かつヒップアップ効果を得ることができる姿勢補整用ボトムズとなる。
【００４４】
請求項７の発明にかかる姿勢補整用ボトムズは、裏地が伸縮性を有する生地からなる。ここで、「伸縮性を有する生地」としては、例えば、トリコット、ニット生地、ポリウレタンが１％〜３０％混合されたポリウレタン混合生地、綿ストレッチ、スパンレックス、パワーネット、サテンネット（ストレッチサテン）、ストレッチレース、等がある。
【００４５】
かかる構成を有する姿勢補整用ボトムズを着用することによって、伸縮性を有する生地からなる羽根部材は、ボトムズ本体の裏側前部に縫付けられた分岐していない側の一端と１対の分岐部分の周囲の部分との間が縫付けられておらず、フリーの状態になっているため、伸縮性によって引っ張り力が作用して、着用者のヒップが効果的に引き締められて、ヒップアップの効果を得ることができる。更に、裏地が伸縮性を有する生地からなることによって、着用者にフィットして穿き心地が向上するとともに、立ったり座ったり歩いたりする場合の動作がよりスムーズにできる。
【００４６】
このようにして、意識しなくても着用するだけで正しい姿勢をとることができ、更に着用して歩行するだけでバランスの取れた正しい歩き方をすることができて、かつヒップアップ効果を得ることができる姿勢補整用ボトムズとなる。
【００４７】
請求項８の発明にかかる姿勢補整用ボトムズは、羽根部材の１対の分岐部分の周囲の部分がボトムズ本体と裏地との間において裏地に縫付けられており、裏地がボトムズ本体の裏側の腰周りから股下までのほぼ全面を覆う大きさを有する。
【００４８】
かかる構成を有することによって、羽根部材の１対の分岐部分の周囲の部分が裏地の下に隠れるとともに、裏地がボトムズ本体の裏側の腰周りから股下までのほぼ全面を覆うため、羽根部材の分岐していない側も裏地の下に隠れることになり、通常のボトムズと内外とも見た目が何ら変わらないものとなる。
【００４９】
そして、伸縮性を有する生地からなる羽根部材は、ボトムズ本体の裏側前部に縫付けられた分岐していない側の一端と１対の分岐部分の周囲の部分との間が縫付けられておらず、フリーの状態になっているため、伸縮性によって引っ張り力が作用して、着用者のヒップが効果的に引き締められて、ヒップアップの効果を得ることができる。更に、裏地が伸縮性を有する生地からなることによって、着用者にフィットして穿き心地が向上するとともに、立ったり座ったり歩いたりする場合の動作がよりスムーズにできる。
【００５０】
このようにして、見た目が通常のボトムズと何ら変わらず、意識しなくても着用するだけで正しい姿勢をとることができ、更に着用して歩行するだけでバランスの取れた正しい歩き方をすることができて、かつヒップアップ効果を得ることができる姿勢補整用ボトムズとなる。
【００５１】
請求項９の発明にかかる姿勢補整用ボトムズは、羽根部材の１対の分岐部分の周囲の部分がボトムズ本体と裏地との間において裏地に縫付けられており、裏地がボトムズ本体の裏側の腰周りから脚部先端までのほぼ全面を覆う大きさを有する。
【００５２】
かかる構成は、特に女性用のパンツ、クロップトパンツ、パンタロン、キュロットスカート、キュロットパンツ、等において一般的な裏地の付け方であり、ボトムズ本体と裏地全体とを別々に縫製して、裏地に羽根部材の１対の分岐部分の周囲の部分を縫付け、裏地をウエスト周りのみにおいてボトムズ本体の裏側に縫付け、最後に羽根部材の分岐していない部分をボトムズ本体の前部裏側に縫付けることによって、製造することができる。
【００５３】
したがって、製造工程が容易になり、羽根部材の１対の分岐部分の先端及びその周囲の部分が裏地の下に隠れるとともに、裏地がボトムズ本体の裏側の腰周りから脚部先端までのほぼ全面を覆うことによって、羽根部材の分岐していない側も裏地の下に隠れることになり、通常のボトムズと内外とも見た目が何ら変わらないものとなる。
【００５４】
このようにして、見た目が通常のボトムズと何ら変わらず、意識しなくても着用するだけで正しい姿勢をとることができ、更に着用して歩行するだけでバランスの取れた正しい歩き方をすることができて、かつヒップアップ効果を得ることができる姿勢補整用ボトムズとなる。
【００５５】
請求項１０の発明にかかる姿勢補整用ボトムズは、羽根部材の１対の分岐部分の周囲の部分がボトムズ本体と裏地との間において裏地に縫付けられており、裏地が伸縮性のない生地からなり、少なくともボトムズ本体の裏側の腰周りから股下までのほぼ全面を覆う大きさを有する。ここで、「伸縮性のない生地」としては、例えば、ポリエステル、ナイロン、アクリル、絹（シルク）、麻、等がある。
【００５６】
これらの伸縮性のない生地は透けて見えないため、羽根部材の１対の分岐部分の周囲の部分が裏地の下に隠れるとともに、裏地が少なくともボトムズ本体の裏側の腰周りから股下までのほぼ全面を覆うことによって、羽根部材の分岐していない側も裏地の下に隠れることになり、通常のボトムズと内外とも見た目が何ら変わらないものとなる。
【００５７】
そして、伸縮性を有する生地からなる羽根部材は、ボトムズ本体の裏側前部に縫付けられた分岐していない側の一端と１対の分岐部分の周囲の部分との間が縫付けられておらず、フリーの状態になっているため、伸縮性によって引っ張り力が作用して、着用者のヒップが効果的に引き締められて、ヒップアップの効果を得ることができる。
【００５８】
このようにして、見た目が通常のボトムズと何ら変わらず、意識しなくても着用するだけで正しい姿勢をとることができ、更に着用して歩行するだけでバランスの取れた正しい歩き方をすることができて、かつヒップアップ効果を得ることができる姿勢補整用ボトムズとなる。
【００５９】
請求項１１の発明にかかる姿勢補整用ボトムズは、羽根部材の１対の分岐部分の周囲の部分がボトムズ本体と裏地との間において裏地に縫付けられており、裏地が伸縮性のない生地からなり、ボトムズ本体の裏側の腰周りから脚部先端までのほぼ全面を覆う大きさを有する。ここで、「伸縮性のない生地」としては、例えば、ポリエステル、ナイロン、アクリル、絹（シルク）、麻、等がある。
【００６０】
かかる構成は、特に女性用のパンツ、クロップトパンツ、パンタロン、キュロットスカート、キュロットパンツ、等において一般的な裏地の付け方であり、ボトムズ本体と裏地全体とを別々に縫製して、裏地に羽根部材の１対の分岐部分の周囲の部分を縫付け、裏地をウエスト周りのみにおいてボトムズ本体の裏側に縫付け、最後に羽根部材の分岐していない部分をボトムズ本体の前部裏側に縫付けることによって、製造することができる。
【００６１】
したがって、製造工程が容易になり、これらの伸縮性のない生地は透けて見えないため、羽根部材の１対の分岐部分の周囲の部分が裏地の下に隠れるとともに、裏地がボトムズ本体の裏側の腰周りから脚部先端までのほぼ全面を覆うことによって、羽根部材の分岐していない側も裏地の下に隠れることになり、通常のボトムズと内外とも見た目が何ら変わらないものとなる。
【００６２】
そして、伸縮性を有する生地からなる羽根部材は、ボトムズ本体の裏側前部に縫付けられた分岐していない側の一端と１対の分岐部分の周囲の部分との間が縫付けられておらず、フリーの状態になっているため、伸縮性によって引っ張り力が作用して、着用者のヒップが効果的に引き締められて、ヒップアップの効果を得ることができる。
【００６３】
このようにして、見た目が通常のボトムズと何ら変わらず、意識しなくても着用するだけで正しい姿勢をとることができ、更に着用して歩行するだけでバランスの取れた正しい歩き方をすることができて、かつヒップアップ効果を得ることができる姿勢補整用ボトムズとなる。
【００６４】
請求項１２の発明にかかる姿勢補整用ボトムズは、羽根部材に引っ張り力を掛けながら縫付ける際の引っ張り長さは１ｃｍから３ｃｍの範囲内である。
【００６５】
本発明者は、伸縮性を有する生地からなる羽根部材にどの程度の引っ張り力を掛けながら縫付けることによって、羽根部材が着用者の股下にくい込んで着用感を損ねることなく、ヒップを引き締めてヒップアップの効果を得ることができるかについて、鋭意実験研究を重ねた結果、羽根部材に引っ張り力を掛けながら縫付ける際の引っ張り長さを１ｃｍから３ｃｍの範囲内とすることによって、羽根部材が着用者の股下にくい込むことなくヒップを引き締めてヒップアップの効果を得られることを見出し、この知見に基づいて本発明を完成したものである。
【００６６】
即ち、引っ張り長さを１ｃｍ未満とすると十分な引き締め効果をえることができず、一方引っ張り長さが３ｃｍを超えると羽根部材が着用者の股下にくい込んで着用感を損ねることになる。
【００６７】
このようにして、意識しなくても着用するだけで確実に正しい姿勢をとることができ、更に着用して歩行するだけでバランスの取れた正しい歩き方をすることができて、着用感を損ねることがなく、かつヒップアップ効果を得ることができる姿勢補整用ボトムズとなる。
【００６８】
請求項１３の発明にかかる姿勢補整用ボトムズは、羽根部材の１対の分岐部分が、着用者が姿勢補整用ボトムズを着用したときに着用者の臀部に生ずる左右１対の笑窪様の小さい窪みを覆う大きさである。
【００６９】
このように、請求項１乃至請求項１２に記載の効果に加えて、本発明にかかる姿勢補整用ボトムズにおいては、この窪みを押えることによって臀部が引き締まって小尻になるとともにヒップアップの効果が得られるが、羽根部材の１対の分岐部分によって直接押えることによってこれらの効果が倍増する。
【００７０】
このようにして、意識しなくても着用するだけで確実に正しい姿勢をとることができ、更に着用して歩行するだけでバランスの取れた正しい歩き方をすることができて、かつヒップアップ効果を得ることができる姿勢補整用ボトムズとなる。
【００７１】
請求項１４の発明にかかる姿勢補整用ボトムズは、羽根部材の分岐していない側または１対の前部分岐部分がボトムズ本体の裏側の前部に縫付けられておらず、羽根部材の分岐していない側または１対の前部分岐部分とボトムズ本体の裏側の前部とは、羽根部材の分岐していない側または１対の前部分岐部分と、ボトムズ本体の裏側の前部とに取付けられた複数の接続位置を選択できる１組または２組の調節機能付き接続具によって接続される。
【００７２】
ここで、「調節機能付き接続具」としては、例えば、長さ方向の複数の位置にメンカンを取付けたものと、その複数のメンカンのいずれにも嵌合するカギホックを布地に取付けたものとを組にしたものや、長さ方向の複数の位置に凹側のホックを取付けたものと、その複数の凹側のホックのいずれにも嵌合する凸側のホックを布地に取付けたものとを組にしたものや、長さ方向の複数の位置に凹側のドット釦を取付けたものと、その複数の凹側のドット釦のいずれにも嵌合する凸側のドット釦を布地に取付けたものとを組にしたものや、一組の接続布（マジックテープ（登録商標））や、長さ方向の複数の位置に凹側のスプリングホックを取付けたものと、その複数の凹側のスプリングホックのいずれにも嵌合する凸側のスプリングホックを布地に取付けたものとを組にしたもの、等がある。
【００７３】
このように、請求項１乃至請求項１３に記載の効果に加えて、本発明にかかる姿勢補整用ボトムズにおいては、かかる構成によって、羽根部材の分岐していない側または１対の前部分岐部分とボトムズ本体の裏側の前部とを調節機能付き接続具によって接続する際に、複数の接続位置のうちいずれを選択するかによって、羽根部材による引っ張り力を調節することができ、着用者の体形によって微妙に異なる羽根部材によるヒップの引き締め力を最適に調節することができる。
【００７４】
このようにして、意識しなくても着用するだけで確実に正しい姿勢をとることができ、更に着用して歩行するだけでバランスの取れた正しい歩き方をすることができて、かつヒップアップ効果を得ることができる姿勢補整用ボトムズとなる。
【００７５】
請求項１５の発明にかかる姿勢補整用ボトムズは、羽根部材の１対の分岐部分の先端及び／または１対の前部分岐部分の先端が丸みのある形状となっている。これによって、本発明にかかる姿勢補整用ボトムズにおいては、請求項１乃至請求項１４に記載の効果に加えて、羽根部材の１対の分岐部分の先端及び／または１対の前部分岐部分の先端を縫付ける際に、丸みのある形状に沿って曲がりながら一度に縫付けることができるため、縫製時間を短縮することができ、大量生産に向いた姿勢補整用ボトムズとなる。
【００７６】
このようにして、意識しなくても着用するだけで確実に正しい姿勢をとることができ、更に着用して歩行するだけでバランスの取れた正しい歩き方をすることができて、かつヒップアップの効果も得られ、美しいプロポーションを得ることができるとともに、製造工程を短縮できる姿勢補整用ボトムズとなる。
【００７７】
請求項１６の発明にかかる姿勢補整用ボトムズは、伸縮性を有する生地がパワーネット、サテンネット（ストレッチサテン）、ストレッチレースのいずれかである。
【００７８】
これによって、本発明にかかる姿勢補整用ボトムズにおいては、請求項１乃至請求項１５に記載の効果に加えて、パワーネット、サテンネット（ストレッチサテン）、ストレッチレースは、いずれも大きな伸縮性を有し、入手も容易であるため、姿勢補整用ボトムズの羽根部材を構成する伸縮性を有する生地として適している。また、裏地が伸縮性を有する生地からなる場合にも、パワーネット、サテンネット（ストレッチサテン）、ストレッチレースは、裏地を構成する生地として適している。
【００７９】
このようにして、意識しなくても着用するだけで確実に正しい姿勢をとることができ、更に着用して歩行するだけでバランスの取れた正しい歩き方をすることができて、かつヒップアップ効果を得ることができる姿勢補整用ボトムズとなる。
【発明を実施するための最良の形態】
【００８０】
以下、本発明の実施の形態について、図面を参照しつつ説明する。なお、以下の各図面においては、紳士用ズボン（パンツ）・婦人用パンツ等のボトムズに取付けられているポケットは、図示省略されている。即ち、ボトムズを表から見た場合の脇ポケットの入り口や臀部ポケットの入り口、及びボトムズを裏返して見た場合の脇ポケットのポケット袋や臀部ポケットのポケット袋は、全て図示省略されている。
【００８１】
実施の形態１
まず、本発明の実施の形態１にかかる姿勢補整用ボトムズとしての男性用の姿勢補整用ズボンについて、図１乃至図１５を参照して説明する。
【００８２】
図１は本発明の実施の形態１にかかる姿勢補整用ボトムズとしての姿勢補整用ズボンの上部の構成を示す斜視図である。図２（ａ）は本発明の実施の形態１にかかる姿勢補整用ズボンを裏返した場合の上部の構成を示す正面図、（ｂ）は背面図である。図３は本発明の実施の形態１にかかる姿勢補整用ズボンの股下部分の内部構造を示す部分拡大図である。図４は人体の臀部周辺が引き締められた場合に臀部に生ずる左右１対の笑窪様の小さい窪みの位置を示す模式図である。
【００８３】
図５（ａ）は本発明の実施の形態１にかかる姿勢補整用ズボンに用いられる羽根部材の通常の縫付け方を示す図、（ｂ）は羽根部材の異なる縫付け方を示す図である。図６（ａ）〜（ｉ）は本発明の実施の形態１にかかる姿勢補整用ズボンに用いられる羽根部材の様々な形状を示す図である。図７（ａ）は本発明の実施の形態１にかかる姿勢補整用ズボンに用いられる羽根部材の縫付け方法を示す図、（ｂ）は羽根部材の異なる縫付け方法を示す図、（ｃ）は羽根部材のさらに異なる縫付け方法を示す図である。
【００８４】
図８は本発明の実施の形態１の第１変形例にかかる姿勢補整用ズボンの股下部分の内部構造を示す部分拡大図である。図９は本発明の実施の形態１の第２変形例にかかる姿勢補整用ズボンを裏返した場合の上部の構成を示す正面図、（ｂ）は背面図である。図１０（ａ）は本発明の実施の形態１の第２変形例にかかる姿勢補整用ズボンを裏返した場合の上部を開いて示す部分展開図、（ｂ）は本発明の実施の形態１の第３変形例にかかる姿勢補整用ズボンを裏返した場合の上部を開いて示す部分展開図、（ｃ）は本発明の実施の形態１にかかる姿勢補整用ズボンを裏返した場合の上部を開いて示す部分展開図である。
【００８５】
図１１（ａ）は本発明の実施の形態１の第４変形例にかかる姿勢補整用ズボンを裏返した場合の上部を開いて示す部分展開図、（ｂ）は本発明の実施の形態１の第４変形例にかかる姿勢補整用ズボンにおける裏地めくれ防止テープの部分を拡大して示す図、（ｃ）は裏地めくれ防止テープの別の取付け方を拡大して示す図、（ｄ）は裏地めくれ防止テープのさらに別の取付け方を拡大して示す図である。
【００８６】
図１２（ａ）は本発明の実施の形態１の第５変形例にかかる姿勢補整用ズボンを裏返した場合の股下部分を示す部分拡大図、（ｂ）は本発明の実施の形態１の第６変形例にかかる姿勢補整用ズボンを裏返した場合の股下部分を示す部分拡大図である。図１３（ａ）は本発明の実施の形態１の第７変形例にかかる姿勢補整用ズボンを裏返した場合の羽根部材の縫付け方を示す部分拡大図、（ｂ）は羽根部材を縫付けた後の股下部分を示す部分拡大図である。
【００８７】
図１４は本発明の実施の形態１の第８変形例にかかる姿勢補整用ズボンを裏返した場合の股下部分を示す部分拡大図である。図１５（ａ）は本発明の実施の形態１の第９変形例にかかる姿勢補整用ズボンを裏返した場合の股下部分を示す部分拡大図、（ｂ）は本発明の実施の形態１の第１０変形例にかかる姿勢補整用ズボンを裏返した場合の股下部分を示す部分拡大図である。
【００８８】
図１に示されるように、本実施の形態１にかかる姿勢補整用ボトムズとしての姿勢補整用ズボン１は、ボトムズ本体としての紳士用ズボン（パンツ）表地２と、ズボン表地２の裏側の股下までの背面部分を覆うように縫付けられた伸縮性を有する生地としてのパワーネットからなる裏地３と、伸縮性を有する生地としてのパワーネットからなる１対の分岐部分５ａ，５ｂを有する略Ｔ字形の羽根部材５とを具備している。
【００８９】
ここで、裏地３は２枚の対称形のパワーネット生地を切り出して、裏地３の後中心３ｃで縫い合わされてからズボン表地２の裏側に縫付けられるが、これは湾曲した臀部を有するズボン表地２の裏側に沿わせる必要があるため、１枚のパワーネット生地で裏地３を構成することができないことによるものである。裏地３はズボン表地２のウエストベルト２の裏側を縫付ける際に、ステッチ縫いによって一緒にズボン表地２の裏側のウエスト周りに沿って縫付けられ、後で図２（ｂ）に示されるように、下端がズボン表地２の裏側の股下部分に縫付けられる。
【００９０】
したがって、裏地３はズボン表地２の裏側のウエスト周り及び股下部分のみが縫付けられており、その間の部分は固定されずにフリーの状態になっている。この裏地３のフリーの部分の上（内側）に、羽根部材５の１対の分岐部分５ａ，５ｂがステッチ縫い５ｉによって縫付けられている。
【００９１】
なお、図１において、裏地３のみに網目模様のハッチングを施したのは、ズボン表地２及び羽根部材５と区別し易くするためであり、網目模様の大きさは裏地３のパワーネットの網目の大きさを表すものではない（以下の各図においても同様である。）。
【００９２】
本実施の形態１にかかる姿勢補整用ズボン１を裏返した状態を示す図２（ａ）に示されるように、羽根部材５の分岐していない側５ｄの先端５ｅは、ズボン表地２の下前持ち出し２Ｃにステッチ縫い５ｈによって縫付けられている。また、図２（ｂ）に示されるように、羽根部材５の１対の分岐部分５ａ，５ｂは、裏地３の臀部付近にステッチ縫い５ｉによって縫付けられている。
【００９３】
図２（ｂ）に示されるように、裏地３の両端はズボン表地２の前身頃と後身頃とを縫い合わせる本縫い（ステッチ縫い）２ｇによって同時に縫付けられ、裏地３の下端はステッチ縫い３ｆによってズボン表地２の裏側の股下部分に縫付けられる。
【００９４】
したがって、ズボン表地２は、本発明における「ボトムズ本体」に相当する。また、本実施の形態１にかかる姿勢補整用ズボン１は、「ボトムズ本体と、ボトムズ本体の裏側の少なくとも臀部を覆うようにボトムズ本体の裏側に縫付けられた裏地と、伸縮性を有する生地からなる１対の分岐部分を有する略Ｔ字形の羽根部材とを具備する姿勢補整用ボトムズ」に相当し、裏地３が伸縮性を有する生地からなるものである。
【００９５】
姿勢補整用ズボン１における縫付け構造について、図３を参照してさらに詳しく説明する。図３に示されるように、姿勢補整用ズボン１を裏返して股下部分を中心に見ると、ズボン表地２は後股切り替え線２ｆにおいて縫付けられており、裏地３の下端はこの後股切り替え線２ｆに沿って、１対のステッチ３ｆによってズボン表地２に縫付けられている。
【００９６】
したがって、羽根部材５は、ステッチ縫い５ｈによって分岐していない側５ｄの先端がズボン表地２の裏側の下前持ち出し２Ｃに縫付けられた部分と、ステッチ縫い５ｉによって裏地３の臀部付近に縫付けられた部分との間は縫付けられておらず、フリーの状態になっている。
【００９７】
これによって、本実施の形態１にかかる姿勢補整用ズボン１を着用することによって、羽根部材５には伸縮性による引っ張り力がかかり、着用者の臀部が効果的に引き締められて骨盤を安定させる力が強くなり、座ったときに最も背筋が伸びるので正しい姿勢で座ることができ、かつ正しい姿勢で立ち、正しい姿勢で歩くことができる。
【００９８】
姿勢補整用ズボン１を着用することによる作用効果について、図４及び図５を参照して、さらに詳細に説明する。図４に示されるように、人体ＨＢにおいて臀部ＨＤが引き締められると、臀部ＨＤに左右１対の笑窪様の小さい窪みＨＥが生ずる。これらの小さい窪みＨＥを押えることによって、臀部ＨＤが引き締まって小尻になるとともにヒップアップの効果が得られる。
【００９９】
したがって、図５（ａ）に示されるように、羽根部材５には、ステッチ縫い５ｈによって分岐していない側５ｄの先端５ｅが縫付けられた部分とステッチ縫い５ｉによって縫付けられた１対の分岐部分５ａ，５ｂとの間が縫付けられていないため、伸縮性による引っ張り力がかかり、着用者の臀部ＨＤが効果的に引き締められる。そして、臀部ＨＤが引き締められると臀部ＨＤに左右１対の笑窪様の小さい窪みＨＥが生じ、これらの小さい窪みＨＥが１対の分岐部分５ａ，５ｂによって押えられるため、着用者の臀部が引き締まって小尻になるとともにヒップアップの効果が得られる。
【０１００】
また、図５（ｂ）に示される羽根部材５においては、１対の分岐部分５ａ，５ｂの中間点５ｃの左右が縫付けられていないが、やはり同様に羽根部材５には、ステッチ縫い５ｈによって分岐していない側５ｄの先端５ｅが縫付けられた部分とステッチ縫い５ｉによって縫付けられた１対の分岐部分５ａ，５ｂとの間が縫付けられていないため、伸縮性による引っ張り力がかかり、着用者の臀部ＨＤが効果的に引き締められる。そして、臀部ＨＤが引き締められると臀部に左右１対の笑窪様の小さい窪みＨＥが生じ、これらの小さい窪みＨＥが１対の分岐部分５ａ，５ｂによって押えられるため、着用者の臀部が引き締まって小尻になるとともにヒップアップの効果が得られる。
【０１０１】
また、本実施の形態１にかかる姿勢補整用ズボン１における羽根部材５は、１対の分岐部分５ａ，５ｂの先端が丸みのある形状となっている。これによって、１対の分岐部分５ａ，５ｂの先端及びその周囲の部分を裏地３に縫付けるときに、丸みに沿って曲がりながら一度に縫付けることができるため、縫製を短時間で行うことができる。
【０１０２】
次に、本実施の形態１にかかる姿勢補整用ズボン１に用いることができる羽根部材の形状のバリエーションについて、図６を参照して説明する。図６（ａ）〜（ｉ）に示されるように、本実施の形態１にかかる姿勢補整用ズボン１に用いられる羽根部材としては、略Ｔ字形の様々な形状のものを用いることができる。
【０１０３】
図６（ａ）に示される羽根部材５Ａは、１対の分岐部分５Ａａ，５Ａｂの中間点５Ａｃが上記羽根部材５よりも窪んだ形状をしているが作用効果は同様であり、１対の小さい窪みの位置ＨＥＰが１対の分岐部分５Ａａ，５Ａｂで押えられる位置にあるため、着用者の臀部ＨＤを効果的に引き締めることができ、着用者の臀部が引き締まって小尻になるとともにヒップアップの効果も得られる。図６（ｂ）に示される羽根部材５Ｂは、１対の分岐部分５Ｂａ，５Ｂｂの先端が丸みのある形状ではなく、尖った形状となっているが作用効果は同様であり、１対の小さい窪みの位置ＨＥＰが１対の分岐部分５Ｂａ，５Ｂｂで押えられる位置にあるため、着用者の臀部ＨＤを効果的に引き締めることができ、着用者の臀部が引き締まって小尻になるとともにヒップアップの効果も得られる。
【０１０４】
図６（ｃ）に示される羽根部材５Ｃは、１対の分岐部分５Ｃａ，５Ｃｂの先端が丸みのある形状ではなく、尖った形状となっているが作用効果は同様であり、１対の小さい窪みの位置ＨＥＰが１対の分岐部分５Ｃａ，５Ｃｂで押えられる位置にあるため、着用者の臀部ＨＤを効果的に引き締めることができ、着用者の臀部が引き締まって小尻になるとともにヒップアップの効果も得られる。図６（ｄ）に示される羽根部材５Ｄは、１対の分岐部分５Ｄａ，５Ｄｂが小さいため、１対の小さい窪みＨＥを直接押えることはできないが、裏地３を介して間接的に押えることができ、着用者の臀部ＨＤを効果的に引き締めることができ、着用者の臀部が引き締まって小尻になりヒップアップの効果も得られる。
【０１０５】
図６（ｅ）に示される羽根部材５Ｅは、１対の分岐部分５Ｅａ，５Ｅｂの上部が直線的な形状をしており、１対の分岐部分５Ｅａ，５Ｅｂの面積がより大きくなっているので、１対の小さい窪みの位置ＨＥＰが１対の分岐部分５Ｅａ，５Ｅｂで押えられる位置にあるため、着用者の臀部ＨＤを効果的に引き締めることができ、着用者の臀部が引き締まって小尻になるとともにヒップアップの効果も得られる。図６（ｆ）に示される羽根部材５Ｆも、１対の分岐部分５Ｆａ，５Ｆｂの面積が大きく、１対の小さい窪みの位置ＨＥＰが１対の分岐部分５Ｅａ，５Ｅｂで押えられる位置にあるため、着用者の臀部ＨＤを効果的に引き締めることができ、着用者の臀部が引き締まって小尻になるとともにヒップアップの効果も得られる。
【０１０６】
図６（ｇ）に示される羽根部材５Ｇは、１対の分岐部分５Ｇａ，５Ｇｂが小さいため、１対の小さい窪みＨＤを直接押えることはできないが、裏地３を介して間接的に押えることができ、着用者の臀部ＨＤを効果的に引き締めることができ、着用者の臀部が引き締まって小尻になるとともにヒップアップの効果も得られる。図６（ｈ）に示される羽根部材５Ｈは、１対の分岐部分５Ｈａ，５Ｈｂの長さは長いが横に伸びた形状をしているため、１対の小さい窪みの位置ＨＥＰを覆っておらず、やはり１対の小さい窪みＨＥを直接押えることはできないが、裏地３を介して間接的に押えることができる。そして、着用者の臀部ＨＤを効果的に引き締めることができ、着用者の臀部が引き締まって小尻になるとともにヒップアップの効果も得られる。
【０１０７】
図６（ｉ）に示される羽根部材５Ｊは、１対の分岐部分５Ｊａ，５Ｊｂの長さは更に長くボトムズの脇線まで届いているが、横に拡がった形状をしているため１対の小さい窪みの位置ＨＥＰを覆っておらず、やはり１対の小さい窪みＨＥを直接押えることはできないが、裏地３を介して間接的に押えることができる。そして、着用者の臀部ＨＤを効果的に引き締めることができ、着用者の臀部が引き締まって小尻になるとともにヒップアップの効果も得られる。
【０１０８】
なお、これらの図５，図６（ａ）〜（ｉ）に示される羽根部材５，５Ａ，５Ｂ，５Ｃ，５Ｄ，５Ｅ，５Ｆ，５Ｇ，５Ｈ，５Ｊの形状は例示に過ぎず、本実施の形態１にかかる姿勢補整用ズボン１の羽根部材としては、１対の分岐部分を有する略Ｔ字形のものであれば、これら以外にも様々な形状のものを用いることができる。
【０１０９】
次に、本実施の形態１にかかる姿勢補整用ズボン１に用いられる羽根部材の縫製の方法について、図７を参照して説明する。図７（ａ）に示されるように、本実施の形態１にかかる姿勢補整用ズボン１に用いられる羽根部材５は、二枚のパワーネット生地をいわゆる袋縫いすることによって縫製されている。
【０１１０】
即ち、図７（ａ）に示される同じ形状の二枚のパワーネット生地を切り出し、重ねて生地の縁に沿って１対の分岐部分５ａ，５ｂの裏側、中間点５ｃの裏側、分岐していない側５ｄの裏側をステッチ縫い（ミシン縫い）５ｆで縫い合わせる。そして、縫い合わされていない分岐していない側の端５ｅから手を入れてひっくり返すことによって、図７（ａ）に示されるように、ステッチ縫い（ミシン縫い）５ｆの縫い目が表側に出ない袋縫いによる二枚のパワーネット生地からなる強い伸縮性を有する羽根部材５が完成する。
【０１１１】
図７（ｂ）に示される羽根部材５Ｋは、形状は羽根部材５と同様であるが、一枚のパワーネット生地を図７（ｂ）に示される形状に切り出して、１対の分岐部分５Ｋａ，５Ｋｂ、中間点５Ｋｃ、分岐していない側５Ｋｄにおいて生地の縁をジグザグ縫い５Ｋｆで裁ち目かがりしたものである。このように一枚のパワーネット生地からなる羽根部材５Ｋであっても、十分な臀部の引き締め効果が得られる。
【０１１２】
なお、裁ち目かがりの方法としては、ジグザグ縫い５Ｋｆに限られず、ロック縫い等によっても良い。また、同じ形状の二枚のパワーネット生地を重ねて、縁をジグザグ縫い５Ｋｆやロック縫い等で縫付けることによって、二枚のパワーネット生地からなる羽根部材を縫製することもできる。さらに、同じ形状の三枚以上のパワーネット生地を重ねて、縁をジグザグ縫い５Ｋｆで縫付けることによって、三枚以上のパワーネット生地からなる羽根部材を縫製することも可能である。これによって、より強力な臀部の引き締め効果を得ることができる。
【０１１３】
図７（ｃ）に示される羽根部材５Ｌは、全体の形状は羽根部材５と同様であるが、中心線で分割された二つの部分を中心接ぎ縫い５Ｌｇで接いでなるものである。即ち、図７（ｃ）に示される形状を中心接ぎ縫い５Ｌｇの部分で左右対称に分割した形状のパワーネット生地をそれぞれ二枚ずつ切り出して、１対の分岐部分５Ｌａ，５Ｌｂ、中間点５Ｌｃ、分岐していない側５Ｌｄの外側の裏側をステッチ縫い（ミシン縫い）５Ｌｆで縫い合わせる。そして、縫い合わされていない分岐していない側５Ｌｄの内側から手を入れてひっくり返すことによってできた袋縫いの左右対称の部分を、図７（ｃ）に示されるように、中心接ぎ縫い５Ｌｇで縫い合わせることによって、羽根部材５Ｌが完成する。
【０１１４】
この縫製方法は、中心接ぎ縫い５Ｌｇを行わなければならないため工数は掛かるが、ステッチ縫い（ミシン縫い）５Ｌｆが容易で、ひっくり返す作業も行い易く、羽根部材の製作が容易であるという利点がある。
【０１１５】
さらに、紳士用ズボン（パンツ）等の紳士物ボトムズにおいては、表地と裏地を重ねて一緒にロック縫いをかけることが通常である。そのため、表地と裏地との間の自由な取扱いに制限があり、羽根部材の取付けはロック縫いをかける前に裏地に縫付けることによって行っておくことが好ましい。特に、伸縮性のない生地からなる裏地の下に取付ける際には、まず羽根部材５Ｌのように分離した状態で縫付けておいて、裏地をロック縫いで縫付けた後に中心接ぎ縫い５Ｌｇで縫い合わせることによって、より容易に伸縮性のない生地の下に縫付けることができるという利点がある。
【０１１６】
一方、紳士用ズボン（パンツ）等の紳士物ボトムズにおいても、表地と裏地を重ねて一緒にロック縫いをかける際に、股下部分に羽根部材を通すための縫付けない部分（開放部）を設けておいて、ロック縫いをかけた後にこの開放部から羽根部材を裏地の下に潜らせて縫付けることによって、上記羽根部材５，５Ｋのように分割されていない羽根部材であっても、裏地の下に縫付けることは可能である。
【０１１７】
次に、本実施の形態１の第１変形例にかかる姿勢補整用ズボンについて、図８を参照して説明する。なお、本実施の形態１の第１変形例にかかる姿勢補整用ズボンの構成は、一部を除いて上記実施の形態１にかかる姿勢補整用ズボン１と同様であるため、同一部分には図１乃至図３と同一の符号を付して、一部説明を省略する。
【０１１８】
図８に示されるように、本実施の形態１の第１変形例にかかる姿勢補整用ズボン１Ａは、上記実施の形態１にかかる姿勢補整用ズボン１と同様に、ボトムズ本体としての紳士用ズボン（パンツ）表地２と、ズボン表地２の裏側の股下までの背面部分を覆うように縫付けられた伸縮性を有する生地としてのパワーネットからなる裏地３と、伸縮性を有する生地としてのパワーネットからなる１対の分岐部分５ａ，５ｂを有する略Ｔ字形の羽根部材５とを具備している。姿勢補整用ズボン１Ａを裏返して股下部分を中心に見ると、ズボン表地２は後股切り替え線２ｆにおいて縫付けられており、裏地３の下端はこの後股切り替え線２ｆに沿って、１対のステッチ３ｆによってズボン表地２に縫付けられている。
【０１１９】
本実施の形態１の第１変形例にかかる姿勢補整用ズボン１Ａが、上記実施の形態１にかかる姿勢補整用ズボン１と異なる点は、図８に示されるように、羽根部材５の１対の分岐部分５ａ，５ｂが裏地３のフリーの部分の下（外側）に、ステッチ縫い５ｉによって縫付けられている点である。これによって、姿勢補整用ズボン１Ａを着用した場合に、羽根部材５の１対の分岐部分５ａ，５ｂが、直接でなく裏地３を介して着用者に当接するため、穿き心地が向上するという作用効果が得られる。
【０１２０】
その他の点については、裏地３の下端を後股切り替え線２ｆに沿って縫付ける１対のステッチ３ｆの間が、羽根部材５を縫付けないように開いている点を除けば、上記実施の形態１にかかる姿勢補整用ズボン１と同様である。したがって、羽根部材５は、ステッチ縫い５ｈによって分岐していない側５ｄの先端がズボン表地２の裏側の下前持ち出し２Ｃに縫付けられた部分と、ステッチ縫い５ｉによって裏地３の臀部付近に縫付けられた部分との間は縫付けられておらず、フリーの状態になっている。
【０１２１】
これによって、本実施の形態１の第１変形例にかかる姿勢補整用ズボン１Ａを着用することによって、羽根部材５には伸縮性による引っ張り力がかかり、着用者の臀部が効果的に引き締められ、臀部が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１２２】
次に、本実施の形態１の第２変形例にかかる姿勢補整用ズボンについて、図９を参照して説明する。なお、本実施の形態１の第２変形例にかかる姿勢補整用ズボンの構成は、一部を除いて上記実施の形態１にかかる姿勢補整用ズボン１と同様であるため、同一部分には図１乃至図３と同一の符号を付して、一部説明を省略する。
【０１２３】
図９に示されるように、本実施の形態１の第２変形例にかかる姿勢補整用ズボン１Ｂは、上記実施の形態１にかかる姿勢補整用ズボン１と同様に、ボトムズ本体としての紳士用ズボン（パンツ）表地２と、ズボン表地２の裏側に縫付けられた伸縮性を有する生地としてのパワーネットからなる裏地６と、伸縮性を有する生地としてのパワーネットからなる１対の分岐部分５ａ，５ｂを有する略Ｔ字形の羽根部材５とを具備している。
【０１２４】
本実施の形態１の第２変形例にかかる姿勢補整用ズボン１Ｂが、上記実施の形態１にかかる姿勢補整用ズボン１と異なる点は、図９（ａ）に示されるように、裏地６がズボン表地２の裏側の股下までの背面部分のみならず、両脇部を通過してズボン表地２の裏側の前中心ＦＣまでを覆うように縫付けられている点と、図９（ｂ）に示されるように、羽根部材５の１対の分岐部分５ａ，５ｂが裏地６のフリーの部分の下（外側）に、ステッチ縫い５ｉによって縫付けられている点である。これによって、姿勢補整用ズボン１Ｂを着用した場合に、羽根部材５の１対の分岐部分５ａ，５ｂが、直接でなく裏地６を介して着用者に当接するため、穿き心地が向上するという作用効果が得られる。
【０１２５】
その他の点については、裏地６の下端を後股切り替え線２ｆに沿って縫付ける１対のステッチ６ｆの間が、羽根部材５を縫付けないように開いている点を除けば、上記実施の形態１にかかる姿勢補整用ズボン１と同様である。したがって、羽根部材５は、ステッチ縫い５ｈによって分岐していない側５ｄの先端がズボン表地２の裏側の下前持ち出し２Ｃに縫付けられた部分と、ステッチ縫い５ｉによって裏地６の臀部付近に縫付けられた部分との間は縫付けられておらず、フリーの状態になっている。
【０１２６】
これによって、本実施の形態１の第２変形例にかかる姿勢補整用ズボン１Ｂを着用することによって、羽根部材５には伸縮性による引っ張り力がかかり、着用者の臀部が効果的に引き締められ、臀部が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１２７】
次に、本実施の形態１の第２変形例にかかる姿勢補整用ズボン１Ｂにおける裏地６の縫付け方法について、図１０を参照して、本実施の形態１にかかる姿勢補整用ズボン１における裏地３の縫付け方法と比較して説明する。
【０１２８】
図１０（ａ）に示されるように、本実施の形態１の第２変形例にかかる姿勢補整用ズボン１Ｂにおいては、伸縮性を有する生地としてのパワーネットからなる裏地６が、ボトムズ本体としてのズボン表地２の後中心ＢＣから、右脇部ＲＳ及び左脇部ＬＳを通過して前中心ＦＣまで達しており、裏地６はズボン表地２のウエストベルト２ａの下端と股下部分と前中心ＦＣの両側においてズボン表地２に縫付けられており、右脇部ＲＳ及び左脇部ＬＳの周辺は縫付けられずにフリーの状態になっている。
【０１２９】
しかしながら、上述したように三箇所において縫付けられているため、裏地６の縫付けられていない部分の端がひらひらすることもなく、また右脇部ＲＳ及び左脇部ＬＳの周辺は縫付けられていないため、ズボン表地２の表側に吊りじわが生じて見栄えを損ねることもない。
【０１３０】
これに対して、図１０（ｂ）に示されるように、本実施の形態１にかかる姿勢補整用ズボン１においては、伸縮性を有する生地としてのパワーネットからなる裏地３が、ボトムズ本体としてのズボン表地２の後中心ＢＣから右脇部ＲＳ及び左脇部ＬＳまでに留まっており、裏地３はズボン表地２のウエストベルト２ａの下端と股下部分と、右脇部ＲＳ及び左脇部ＬＳにおいてステッチ縫いによってズボン表地２に縫付けられている。しかし、本実施の形態１にかかる姿勢補整用ズボン１においても、裏地３が伸縮性を有する生地としてのパワーネットからなるため、ズボン表地２の表側には響かず、吊りじわが生じて見栄えを損ねることはない。
【０１３１】
なお、図１０（ｃ）に示されるように、本実施の形態１の第３変形例にかかる姿勢補整用ズボン１Ｃにおいては、図１０（ａ）に示される第２変形例にかかる姿勢補整用ズボン１Ｂと同様に縫付けられた裏地６の上に、羽根部材５の１対の分岐部分５ａ，５ｂがステッチ縫い５ｉによって縫付けられている。
【０１３２】
これによって、本実施の形態１の第３変形例にかかる姿勢補整用ズボン１Ｃを着用することによって、羽根部材５には伸縮性による引っ張り力がかかり、着用者の臀部が効果的に引き締められ、臀部が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１３３】
さらに、本実施の形態１の第３変形例にかかる姿勢補整用ズボン１Ｃにおいては、羽根部材５の１対の分岐部分５ａ，５ｂが小さい窪みの位置ＨＥＰを覆うように縫付けられているため、羽根部材５の引っ張り力によってこの小さい窪みが押えられ、臀部が引き締まって小尻になるとともにヒップアップの効果が得られる。
【０１３４】
次に、本実施の形態１の第４変形例にかかる姿勢補整用ズボン１Ｄにおける裏地７の縫付け方法について、図１１を参照して説明する。図１１（ａ）に示されるように、本実施の形態１の第４変形例にかかる姿勢補整用ズボン１Ｄにおいては、伸縮性を有しない生地としてのポリエステル生地からなる裏地７が、ボトムズ本体としてのズボン表地２の後中心ＢＣから、右脇部ＲＳ及び左脇部ＬＳを通過して前中心ＦＣの近傍まで達しており、裏地７はズボン表地２のウエストベルト２ａの下端と股下部分においてのみズボン表地２に縫付けられており、右脇部ＲＳ及び左脇部ＬＳの周辺は縫付けられずにフリーの状態になっている。
【０１３５】
この理由は、裏地７が伸縮性を有しない生地としてのポリエステル生地からなるので、右脇部ＲＳ及び左脇部ＬＳにおいてズボン表地２の裏側に縫付けると、ズボン表地２の表側に響いて吊りじわが生じて見栄えを損ねるためである。その結果、裏地７の両側部分が全く固定されていないため、姿勢補整用ズボン１Ｄを着用する際に裏地７がめくれ上がってしまう恐れがある。
【０１３６】
そこで、かかる事態を防止するため、本実施の形態１の第４変形例にかかる姿勢補整用ズボン１Ｄにおいては、図１１（ａ），（ｂ）に示されるように、裏地めくれ防止テープ８で裏地７を右脇部ＲＳ及び左脇部ＬＳに留めている。これによって、ズボン表地２の表側に吊りじわが生じて見栄えを損ねることなく、姿勢補整用ズボン１Ｄを着用する際に裏地７がめくれ上がってしまう事態を確実に防止することができる。
【０１３７】
なお、裏地めくれ防止テープ８の長さは２ｃｍ〜３ｃｍ程度が好ましい。また、裏地めくれ防止テープ８の素材としては、リボンテープ（伸縮性を有するメッシュ素材や伸縮性のないサテンテープ等）、ゴムテープ、裏地と同じポリエステル生地、吊り紐テープ、等の種々の素材を用いることができる。さらに、裏地めくれ防止テープ８の右脇部ＲＳ及び左脇部ＬＳへの留め方としても、図１１（ｃ），（ｄ）に示されるように、脇部縫い代を割って後中心側に縫付けても良いし、前中心側に縫付けても良い。
【０１３８】
これによって、本実施の形態１の第４変形例にかかる姿勢補整用ズボン１Ｄを着用することによって、羽根部材５には伸縮性による引っ張り力がかかり、着用者の臀部が効果的に引き締められ、臀部が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１３９】
さらに、本実施の形態１の第４変形例にかかる姿勢補整用ズボン１Ｄにおいても、羽根部材５の１対の分岐部分５ａ，５ｂが小さい窪みの位置ＨＥＰを覆うように縫付けられているため、羽根部材５の引っ張り力によってこの小さい窪みが押えられ、臀部が引き締まって小尻になるとともにヒップアップの効果が得られる。
【０１４０】
次に、本実施の形態１の第５変形例及び第６変形例にかかる姿勢補整用ズボンにおける羽根部材及び裏地の縫付け方法について、図１２を参照して説明する。
【０１４１】
図１２（ａ）に示されるように、本実施の形態１の第５変形例にかかる姿勢補整用ズボン１Ｅにおいては、伸縮性を有する生地としてのパワーネット生地からなり、上記羽根部材５よりも分岐していない側５Ｍｄの長さが少し短く、他の部分は同様の形状を有する羽根部材５Ｍの分岐していない側５Ｍｄの端５Ｍｅが、ボトムズ本体としてのズボン表地の股下縫代９Ａを割った部分の下側にステッチ縫い５Ｍｈで縫付けられている。
【０１４２】
なお、本実施の形態１の第５変形例においては、図１２（ａ）の円内に模式的に示されるように、股下縫代９Ａを縫った後に股上縫代９Ｂを縫っているため股上縫代９Ｂの方が上になっており、そのためステッチ縫い５Ｍｈは股上縫代９Ｂの部分を避けて、二つに分かれて縫付けられている。さらにその上から、伸縮性を有する生地としてのパワーネット生地からなる裏地３が、羽根部材５Ｍを覆うようにして、股下縫代９Ａを割った部分の上側にステッチ縫い９Ａａで縫付けられている。
【０１４３】
したがって、本実施の形態１の第５変形例にかかる姿勢補整用ズボン１Ｅは、本発明における「ボトムズ本体の裏側の少なくとも臀部を覆うようにボトムズ本体の裏側の股下縫代にその一端が縫付けられた裏地と、伸縮性を有する生地からなる１対の分岐部分を有する略Ｔ字形の羽根部材とを具備する姿勢補整用ボトムズであって、ボトムズ本体の股下縫代に羽根部材の分岐していない側の端が縫付けられた姿勢補整用ボトムズ」に相当する。
【０１４４】
これによって、本実施の形態１にかかる姿勢補整用ズボン１と同様の作用効果が得られるとともに、羽根部材５Ｍが完全に裏地３の下に隠れて裏地３を介して着用者に当接するために、股下の違和感がなくなり、自然な穿き心地になるとともに、臀部の引き締め感やフィット感がより明確に感じられる。そして、見た目にも姿勢補整用ズボン１Ｅ内部には羽根部材５Ｍが裏地３に隠れて見えないため、よりシンプルで美感が向上する。
【０１４５】
また、図１２（ｂ）に示されるように、本実施の形態１の第６変形例にかかる姿勢補整用ズボン１Ｆにおいても、伸縮性を有する生地としてのパワーネット生地からなり、上記羽根部材５よりも分岐していない側５Ｍｄの長さが少し短く、他の部分は同様の形状を有する羽根部材５Ｍの分岐していない側５Ｍｄの端５Ｍｅが、ズボン本体の股下縫代９Ａを割った部分の下側にステッチ縫い５Ｍｈで縫付けられている。
【０１４６】
ここで、本実施の形態１の第６変形例においては、図１２（ｂ）の円内に模式的に示されるように、股上縫代９Ｂを縫った後に股下縫代９Ａを縫っているため股下縫代９Ａの方が上になっており、そのためステッチ縫い５Ｍｈは股上縫代９Ｂの部分を避ける必要がなく、一体に縫付けられている。さらにその上から、伸縮性を有する生地としてのパワーネット生地からなる裏地３が、羽根部材５Ｍを覆うようにして、股下縫代９Ａを割った部分の上側にステッチ縫い９Ａａで縫付けられている。
【０１４７】
したがって、本実施の形態１の第６変形例にかかる姿勢補整用ズボン１Ｆも、本発明における「ボトムズ本体の裏側の少なくとも臀部を覆うようにボトムズ本体の裏側の股下縫代にその一端が縫付けられた裏地と、伸縮性を有する生地からなる１対の分岐部分を有する略Ｔ字形の羽根部材とを具備する姿勢補整用ボトムズであって、ボトムズ本体の股下縫代に羽根部材の分岐していない側の端が縫付けられた姿勢補整用ボトムズ」に相当する。
【０１４８】
これによって、本実施の形態１にかかる姿勢補整用ズボン１と同様の作用効果が得られるとともに、羽根部材５Ｍが完全に裏地３の下に隠れて裏地３を介して着用者に当接するために、股下の違和感がなくなり、自然な穿き心地になるとともに、臀部の引き締め感やフィット感がより明確に感じられる。そして、見た目にも姿勢補整用ズボン１Ｆ内部には羽根部材５Ｍが裏地３に隠れて見えないため、よりシンプルで美感が向上する。
【０１４９】
そして、かかる構成を有する姿勢補整用ズボン１Ｅ，１Ｆを着用することによって、伸縮性を有する生地からなる羽根部材５Ｍの図示しない１対の分岐部分に着用者の臀部が位置しており、羽根部材５Ｍは、ズボン本体の裏側の股下縫代９Ａに縫付けられた分岐していない側５Ｍｄの一端５Ｍｅと１対の分岐部分の先端及びその周囲の部分との間が縫付けられておらず、フリーの状態になっているため伸縮性によって引っ張り力が作用して、着用者の臀部が効果的に引き締められ、臀部が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１５０】
次に、本実施の形態１の第７変形例にかかる姿勢補整用ズボンにおける羽根部材及び裏地の縫付け方法について、図１３を参照して説明する。図１３（ａ）に示されるように、本実施の形態１の第７変形例にかかる姿勢補整用ズボン１Ｇにおいては、羽根部材５Ｍの分岐していない側５Ｍｄの端５Ｍｅの中央部分に切欠き５Ｍｆが設けられている。この切欠き５Ｍｆの縦方向の長さは、ズボン本体の裏側の股下縫代９Ａの幅に合わせたもので１．５ｃｍ〜２．５ｃｍの範囲内であり、切欠き５Ｍｆの横方向の長さは、ズボン本体の裏側の股上縫代９Ｂの幅に合わせたもので２．０ｃｍ〜３．０ｃｍの範囲内である。
【０１５１】
なお、本実施の形態１の第７変形例においては、切欠き５Ｍｆが角型の場合について説明するが、切欠き５Ｍｆは先端が丸くなった曲線状のものとしても良い。
【０１５２】
図１３（ａ）に示されるように、このような切欠き５Ｍｆを有する羽根部材５Ｍの分岐していない側５Ｍｄの端５Ｍｅが、ボトムズ本体としてのズボン表地の股下縫代９Ａを割った部分の下側をめくった部分にステッチ縫い５Ｍｇで縫付けられる。そして、股下縫代９Ａを割った部分の下側を戻して、図１３（ｂ）に示されるように、その上から、伸縮性を有する生地としてのパワーネット生地からなる裏地３が、羽根部材５Ｍを覆うようにして、股下縫代９Ａを割った部分の上側にステッチ縫い９Ａａで縫付けられる。
【０１５３】
したがって、本実施の形態１の第７変形例にかかる姿勢補整用ズボン１Ｇも、本発明における「ボトムズ本体の裏側の少なくとも臀部を覆うようにボトムズ本体の裏側の股下縫代にその一端が縫付けられた裏地と、伸縮性を有する生地からなる１対の分岐部分を有する略Ｔ字形の羽根部材とを具備する姿勢補整用ボトムズであって、ボトムズ本体の股下縫代に羽根部材の分岐していない側の端が縫付けられた姿勢補整用ボトムズ」に相当する。
【０１５４】
さらに、本実施の形態１の第７変形例にかかる姿勢補整用ズボン１Ｇは、ボトムズ本体の裏側の少なくとも臀部を覆うようにボトムズ本体の裏側の股下縫代９Ａにその一端が縫付けられた裏地３と、伸縮性を有する生地からなる１対の分岐部分を有する略Ｔ字形の羽根部材５Ｍとを具備する姿勢補整用ボトムズであって、羽根部材５Ｍの分岐していない側５Ｍｄの端５Ｍｅに切欠き５Ｍｆが設けられており、この切欠き５Ｍｆがボトムズ本体の股上縫代９Ｂを通すようにして、ボトムズ本体の股下縫代９Ａの裏側に羽根部材５Ｍの分岐していない側５Ｍｄの端５Ｍｅが縫付けられた姿勢補整用ボトムズである。
【０１５５】
このように、羽根部材５Ｍの分岐していない側５Ｍｄの端５Ｍｅに切欠き５Ｍｆを設けて、この切欠き５Ｍｆの部分に股下縫代９Ａよりも上にある股上縫代９Ｂを通すようにして、股下縫代９Ａの裏側に羽根部材５Ｍの分岐していない側５Ｍｄの端５Ｍｅをステッチ縫い５Ｍｇで縫付けることによって、切欠き５Ｍｆの両側のみ縫付ければ良いので目安が付け易く、非常に縫製が容易になるという作用効果が得られる。
【０１５６】
さらに、本実施の形態１にかかる姿勢補整用ズボン１と同様の作用効果が得られるとともに、羽根部材５Ｍが完全に裏地３の下に隠れて裏地３を介して着用者に当接するために、股下の違和感がなくなり、自然な穿き心地になるとともに、臀部の引き締め感やフィット感がより明確に感じられる。そして、見た目にも姿勢補整用ズボン１Ｇ内部には羽根部材５Ｍが裏地３に隠れて見えないため、よりシンプルで美感が向上する。
【０１５７】
次に、本実施の形態１の第８変形例にかかる姿勢補整用ズボンにおける羽根部材及び裏地の縫付け方法について、図１４を参照して説明する。図１４に示されるように、本実施の形態１の第８変形例にかかる姿勢補整用ズボン１Ｈにおいては、ボトムズ本体としてのズボン表地の股上縫代９Ｃ，股下縫代９Ｄがいずれも片倒しになっている。そして、姿勢補整用ズボン１Ｈにおいては、羽根部材として伸縮性を有する生地としてのパワーネット生地二枚を袋縫いにしてなる羽根部材５Ｎが用いられている。
【０１５８】
そして、羽根部材５Ｎの分岐していない側５Ｎｄの先端５Ｎｅと裏地３の端とが、片倒しの股下縫代９Ｄの上にダブルステッチ（２本のステッチ縫い）５Ｎｈによって縫付けられている。ここで、ダブルステッチ５Ｎｈは、裏地３と羽根部材５Ｎと片倒しの股下縫代９Ｄ（生地二枚分）とを貫いて、ボトムズ本体としてのズボン表地までを縫付けており、股下縫代９Ｄの裾部分まで達している。
【０１５９】
したがって、本実施の形態１の第８変形例にかかる姿勢補整用ズボン１Ｈは、本発明における「羽根部材の分岐していない側の端及び裏地の一端が片倒しされた股下縫代に２本のステッチ縫いで縫付けられている姿勢補整用ボトムズ」に相当する。
【０１６０】
これによって、片倒しされている股下縫代９Ｄが起き上がる事態が確実に防止されて、裏地３と羽根部材５Ｎとが確実に縫付けられて、安定性のある姿勢補整用ボトムズを得ることができる。また、羽根部材が完全に裏地の下に隠れて裏地を介して着用者に当接するために、股下の違和感がなくなり、自然な穿き心地になるとともに、臀部の引き締め感やフィット感がより明確に感じられる。そして、見た目にもボトムズ内部には羽根部材が裏地に隠れて見えないため、よりシンプルで美感が向上する。
【０１６１】
このような片倒しされた股下縫代９Ｄの縫付け方は、ボトムズの中でも特にジーンズ（Ｇパン）や綿パン等のカジュアル系パンツに多く用いられ、男性用・女性用を問わず適用することができる。
【０１６２】
次に、本実施の形態１の第９変形例及び第１０変形例にかかる姿勢補整用ズボンにおける羽根部材の縫付け方法について、図１５を参照して説明する。
【０１６３】
図１５（ａ）に示されるように、本実施の形態１の第９変形例にかかる姿勢補整用ズボン１Ｊにおいては、図３に示される本実施の形態１にかかる姿勢補整用ズボン１と同様に、羽根部材５がズボン本体２に縫付けられた裏地３の上に縫付けられており、羽根部材５の分岐していない側５ｄの先端５ｅがズボン表地２の下前持ち出し２Ｃにステッチ縫い５ｈによって縫付けられている。また、図２（ｂ）に示されるように、羽根部材５の１対の分岐部分５ａ，５ｂは、裏地３の臀部付近に図示しないステッチ縫いによって縫付けられている。
【０１６４】
図１５（ａ）に示される第９変形例にかかる姿勢補整用ズボン１Ｊが図３に示される本実施の形態１にかかる姿勢補整用ズボン１と異なるのは、羽根部材５の分岐していない側５ｄの一部が、二つに割られた股上縫代９Ｂに２本のステッチ止め１４で止められている点である。これによって、羽根部材５の１対の分岐部分５ａ，５ｂが裏地３の臀部付近にステッチ縫いされている部分と、羽根部材５の分岐していない側５ｄの先端５ｅがズボン表地２の下前持ち出し２Ｃにステッチ縫い５ｈされている部分との間で浮き上がるのが防止され、着用者に馴染み易くなるため、着用したときに股下の違和感がなくなり自然な穿き心地となる。
【０１６５】
また、図１５（ｂ）に示されるように、本実施の形態１の第１０変形例にかかる姿勢補整用ズボン１Ｋにおいては、羽根部材５の分岐していない側５ｄの一部が、片倒しされた股上縫代９Ｃに１本のステッチ止め１４ａで止められている。これによって、同様に羽根部材５の１対の分岐部分５ａ，５ｂが裏地３の臀部付近にステッチ縫いされている部分と、羽根部材５の分岐していない側５ｄの先端５ｅがズボン表地２の下前持ち出し２Ｃにステッチ縫い５ｈされている部分との間で浮き上がるのが防止され、着用者に馴染み易くなるため、着用したときに股下の違和感がなくなり自然な穿き心地となる。
【０１６６】
このようにして、本実施の形態１にかかる姿勢補整用ズボン１，１Ａ，１Ｂ，１Ｃ，１Ｄ，１Ｅ，１Ｆ，１Ｇ，１Ｈ，１Ｊ，１Ｋにおいては、意識しなくても着用するだけで臀部が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる。
【０１６７】
なお、本実施の形態１においては、姿勢補整用ボトムズとして男性用の姿勢補整用ズボン１，１Ａ，１Ｂ，１Ｃ，１Ｄ，１Ｅ，１Ｆ，１Ｇ，１Ｈ，１Ｊ，１Ｋについて説明したが、これらと同様の構成によって、女性用の姿勢補整用パンツを製造することもできる。
【０１６８】
実施の形態２
次に、本発明の実施の形態２にかかる姿勢補整用ボトムズとしての女性用の姿勢補整用パンツについて、図１６乃至図２０を参照して説明する。
【０１６９】
図１６は本発明の実施の形態２にかかる姿勢補整用ボトムズとしての姿勢補整用パンツの上部の構成を示す斜視図である。図１７（ａ）は本発明の実施の形態２にかかる姿勢補整用パンツを裏返した場合の上部の構成を示す正面図、（ｂ）は背面図である。図１８（ａ）は本発明の実施の形態２の第１変形例にかかる姿勢補整用パンツを裏返した場合の股下部分の構成を示す部分拡大図、（ｂ）は本発明の実施の形態２の第２変形例にかかる姿勢補整用パンツを裏返した場合の股下部分の構成を示す部分拡大図、（ｃ）は本発明の実施の形態２の第３変形例にかかる姿勢補整用パンツを裏返した場合の股下部分の構成を示す部分拡大図である。
【０１７０】
図１９（ａ）は本発明の実施の形態２の第４変形例にかかる姿勢補整用パンツを裏返した場合の上部の構成を示す正面図、（ｂ）は背面図、（ｃ）は本発明の実施の形態２の第５変形例にかかる姿勢補整用パンツを裏返した場合の股下部分の構成を示す部分拡大図である。図２０（ａ）は本発明の実施の形態２の第６変形例にかかる姿勢補整用パンツを裏返した場合の股下部分の構成を示す部分拡大図、（ｂ）は裏地をボトムズ本体としての婦人用パンツ表地の股上縫代に縫付ける様子を示す説明図、（ｃ）は本発明の実施の形態２の第７変形例にかかる姿勢補整用パンツを裏返した場合の股下部分の構成を示す部分拡大図である。
【０１７１】
図１６に示されるように、本実施の形態２にかかる姿勢補整用ボトムズとしての姿勢補整用パンツ１０は、ボトムズ本体としての婦人用パンツ表地１１と、パンツ表地１１の裏側の脚部１１Ａ，１１Ｂの裾近傍までの前面部分及び背面部分を覆うように縫付けられた伸縮性を有しない生地としてのポリエステル生地からなる裏地１２と、伸縮性を有する生地としてのパワーネットからなる１対の分岐部分５ａ，５ｂを有する略Ｔ字形の羽根部材５とを具備している。
【０１７２】
ここで、通常の婦人用パンツにおいても、本実施の形態２にかかる姿勢補整用パンツ１０と同様に、パンツの表地の裏側の脚部の裾近傍までの前面部分及び背面部分を覆う裏地が付けられている場合（総裏地）が多い。その理由は、脚の部分まで裏地があった方が滑りが良く裾捌きが良くなるため、パンツの表地が透けて見える素材の場合でも見た目が損なわれないため、そして総裏地とするとコストが高くなるが女性の場合は低コストよりもデザイン性・機能性を重視するためである。
【０１７３】
したがって、パンツ表地１１は、本発明における「ボトムズ本体」に相当する。また、本実施の形態２にかかる姿勢補整用パンツ１０は、「ボトムズ本体と、ボトムズ本体の裏側の少なくとも臀部を覆うようにボトムズ本体の裏側に縫付けられた裏地と、伸縮性を有する生地からなる１対の分岐部分を有する略Ｔ字形の羽根部材とを具備する姿勢補整用ボトムズ」に相当し、さらに、「羽根部材の１対の分岐部分の先端及びその周囲の部分がボトムズ本体と裏地との間において裏地に縫付けられており、裏地が伸縮性のない生地からなり、少なくともボトムズ本体の裏側の腰周りから股下までのほぼ全面を覆う大きさを有する姿勢補整用ボトムズ」に相当する。
【０１７４】
なお、裏地１２はパンツ表地１１の裏側のウエスト周りのみに縫付けられている場合と、パンツ表地１１の裏側のウエスト周り及び両脚先端の裾周りとにおいて縫付けられている場合とが多いが、本実施の形態２にかかる姿勢補整用パンツ１０においては、裏地１２はパンツ表地１１の裏側のウエスト周りのみに縫付けられており、裏地１２の下の部分はパンツ表地１１の裏側に固定されておらずフリーの状態になっている。
【０１７５】
次に、裏地１２のパンツ表地１１の裏側への縫付け方法等について、図１７を参照してさらに詳細に説明する。
【０１７６】
図１７（ａ），（ｂ）に示されるように、裏地１２は、伸縮性を有しない生地としてのポリエステル生地から４枚の部材が切り出されて、右脇線１２ａ，左脇線１２ｂ，後中心１２ｃ，前中心ＦＣ，及び股下線１２ｄにおいて縫い合わされて、パンツ表地１１と同様のシルエットを有する裏地１２として一体となる。そして、裏地１２の上端部分が、パンツ表地１１のウエストベルト１１ａの裏側をパンツ表地１１の裏側に縫付けるステッチ１１ｈによって、同時にウエストベルト１１ａの裏側の下に縫付けられることによって、パンツ表地１１の裏側に取付けられる。
【０１７７】
ここで、図１７（ｂ）に示されるように、羽根部材５の１対の分岐部分５ａ，５ｂは予めステッチ縫い５ｉによって裏地１２の裏側に縫付けられるが、股下線１２ｄのうち羽根部材５の分岐していない部分５ｄの周辺の部分のみは縫付けずに開放部として残しておいて、裏地１２の上端部分がパンツ表地１１の裏側に取付けられた後に、この開放部から羽根部材５の分岐していない部分５ｄを前方に引き出して、裏地１２の下において、分岐していない部分５ｄの先端５ｅをパンツ表地１１の裏側の下前持ち出し１１Ｃの先端に、ステッチ縫い５ｈで縫付ける。
【０１７８】
その後、上記股下線１２ｄの開放部を縫付けて閉じることによって、羽根部材５は裏地１２の裏側に完全に隠れて見えなくなる。したがって、本実施の形態２にかかる姿勢補整用パンツ１０は、通常の総裏地の婦人用パンツと見た目は全く区別がつかない、見栄えの優れたものとなる。
【０１７９】
そして、図１７（ｂ）に示されるように、羽根部材５は、ステッチ縫い５ｈによって分岐していない側５ｄの先端５ｅが下前持ち出し１１Ｃの先端に縫付けられた部分と、ステッチ縫い５ｉによって裏地１２の臀部の下に縫付けられた部分との間は縫付けられておらず、フリーの状態になっている。
【０１８０】
これによって、本実施の形態２にかかる姿勢補整用ボトムズとしての姿勢補整用パンツ１０を着用することによって、羽根部材５には伸縮性による引っ張り力がかかり、着用者の臀部が効果的に引き締められ、臀部が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１８１】
また、上述の如く臀部が引き締められると着用者の臀部に生ずる小さい窪みを押えることによって、臀部が引き締まって小尻になるとともにヒップアップの効果が得られる。本実施の形態２にかかる姿勢補整用パンツ１０においては、羽根部材５の１対の分岐部分５ａ，５ｂがこの小さい窪みの位置ＨＥＰを覆うように縫付けられているため、羽根部材５の引っ張り力によってこの小さい窪みが押えられ、臀部が引き締まって小尻になるとともにヒップアップの効果が得られる。
【０１８２】
このようにして、本実施の形態２にかかる姿勢補整用ボトムズとしての姿勢補整用パンツ１０においては、意識しなくても着用するだけで臀部が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる。しかも、外観は（表側も裏側も）通常の総裏地の婦人用パンツと何ら変わるところがなく、優れた見栄えのものとなる。
【０１８３】
次に、本実施の形態２の第１変形例〜第３変形例にかかる姿勢補整用ボトムズとしての姿勢補整用パンツについて、図１８を参照して説明する。なお、図１８には本実施の形態２の第１変形例〜第３変形例の姿勢補整用パンツを裏返した場合の股下部分の構成を示す部分拡大図のみが示されているが、他の部分の構造は上記実施の形態２にかかる姿勢補整用パンツ１０と同様であるため、説明を省略する。
【０１８４】
図１８（ａ）に示されるように、本実施の形態２の第１変形例にかかる姿勢補整用ボトムズとしての姿勢補整用パンツ１０Ａは、羽根部材として羽根部材５Ｐを用いている点が上記実施の形態２にかかる姿勢補整用パンツ１０と異なるのみで、それ以外の部分は姿勢補整用パンツ１０と同様である。羽根部材５Ｐも羽根部材５と同様に、伸縮性を有する生地としての２枚のパワーネット生地を袋縫いしてなるものである。
【０１８５】
姿勢補整用パンツ１０Ａにおいても、伸縮性を有しない生地としてのポリエステル生地からなる裏地１２は、股下線１２ｄの開放部を残して一体として縫付けられ、その裏側に羽根部材５Ｐの１対の分岐部分５Ｐａ，５Ｐｂがステッチ縫い５Ｐｉによって縫付けられた後に、上端部分がパンツ表地１１の裏側に取付けられ、股下線１２ｄの開放部から羽根部材５Ｐの分岐していない部分５Ｐｄを前方に引き出して、裏地１２の下において、分岐していない部分５Ｐｄの先端５Ｐｅをパンツ表地１１の裏側の下前持ち出し１１Ｃの先端に、ステッチ縫い５Ｐｈで縫付ける。
【０１８６】
その後、上記股下線１２ｄの開放部を縫付けて閉じることによって、羽根部材５Ｐは裏地１２の裏側に完全に隠れて見えなくなる。したがって、本実施の形態２の第１変形例にかかる姿勢補整用パンツ１０Ａは、通常の総裏地の婦人用パンツと見た目は全く区別がつかない、見栄えの優れたものとなる。
【０１８７】
そして、図１８（ａ）に示されるように、羽根部材５Ｐは、ステッチ縫い５Ｐｈによって分岐していない側５Ｐｄの先端５Ｐｅが下前持ち出し１１Ｃの先端に縫付けられた部分と、ステッチ縫い５Ｐｉによって裏地１２の臀部の下に縫付けられた部分との間は縫付けられておらず、フリーの状態になっている。
【０１８８】
これによって、本実施の形態２の第１変形例にかかる姿勢補整用パンツ１０Ａを着用することによって、羽根部材５Ｐには伸縮性による引っ張り力がかかり、着用者の臀部が効果的に引き締められ、臀部が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１８９】
次に、図１８（ｂ）に示されるように、本実施の形態２の第２変形例にかかる姿勢補整用パンツ１０Ｂにおいては、羽根部材５Ｐが裏地１２の上に縫付けられており、その他の部分については、上記本実施の形態２の第１変形例にかかる姿勢補整用パンツ１０Ａと同様である。したがって、姿勢補整用パンツ１０Ｂにおいては、裏地１２を縫付けるときに股下線１２ｄの開放部を残す必要がなく、股下線１２ｄも全て縫付けられる。
【０１９０】
したがって、本実施の形態２の第２変形例にかかる姿勢補整用パンツ１０Ｂにおいては、裏側に羽根部材５Ｐが見えるため、通常の総裏地の婦人用パンツと外観が多少異なる点を除けば、上記本実施の形態２の第１変形例にかかる姿勢補整用パンツ１０Ａと同様の作用効果が得られる。即ち、着用することによって、羽根部材５Ｐには伸縮性による引っ張り力がかかり、着用者の臀部が効果的に引き締められ、臀部が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１９１】
次に、図１８（ｃ）に示されるように、本実施の形態２の第３変形例にかかる姿勢補整用パンツ１０Ｃにおいては、羽根部材５Ｐの分岐していない側５Ｐｄのみが裏地１２の上に縫付けられており、その他の部分については上記本実施の形態２の第１変形例にかかる姿勢補整用パンツ１０Ａと同様である。したがって、姿勢補整用パンツ１０Ｃにおいては、裏地１２を縫付けるときに股下線１２ｄの開放部を残して縫付け、ステッチ縫い５Ｐｈによって分岐していない側５Ｐｄの先端５Ｐｅが下前持ち出し１１Ｃの先端に縫付けられた後も、開放部は縫付けられないまま残される。
【０１９２】
したがって、本実施の形態２の第３変形例にかかる姿勢補整用パンツ１０Ｃにおいては、裏側に羽根部材５Ｐの一部が見えるため、通常の総裏地の婦人用パンツと外観が多少異なる点を除けば、上記本実施の形態２の第１変形例にかかる姿勢補整用パンツ１０Ａと同様の作用効果が得られる。即ち、着用することによって、羽根部材５Ｐには伸縮性による引っ張り力がかかり、着用者の臀部が効果的に引き締められ、臀部が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１９３】
次に、本実施の形態２の第４変形例及び第５変形例にかかる姿勢補整用ボトムズとしての姿勢補整用パンツについて、図１９を参照して説明する。なお、本実施の形態２の第４変形例及び第５変形例にかかる姿勢補整用パンツ１０Ｄ，１０Ｅの構造は、一部を除いて上記実施の形態２にかかる姿勢補整用パンツ１０と同様であるため、同一の部分には同一の符号を付して、一部説明を省略する。
【０１９４】
図１９（ａ），（ｂ）に示されるように、本実施の形態２の第４変形例にかかる姿勢補整用パンツ１０Ｄにおいては、伸縮性を有する生地としてのパワーネットからなる羽根部材５Ｑが略Ｔ字形の根元の側が二つに分岐した（１対の前部分岐部分）形状をしており、図１９（ａ）に示されるように、１対の前部分岐部分５Ｑｄ，５Ｑｅの先端がパンツ表地１１の裏側上端まで伸びて、パンツ表地１１のウエストベルト１１ａの裏側をパンツ表地１１の裏側に縫付けるステッチ１１ｈによって、同時にウエストベルト１１ａの裏側の下に縫付けられる。
【０１９５】
一方、図１９（ｂ）に示されるように、羽根部材５Ｑの１対の分岐部分５Ｑａ，５Ｑｂは、ステッチ縫い５Ｑｉによって裏地１２の臀部に縫付けられる。したがって、羽根部材５Ｑは、ステッチ１１ｈによって１対の前部分岐部分５Ｑｄ，５Ｑｅの先端がパンツ表地１１の裏側上端に縫付けられた部分と、ステッチ縫い５Ｑｉによって裏地１２の臀部に縫付けられた部分との間は縫付けられておらず、フリーの状態になっている。
【０１９６】
したがって、姿勢補整用パンツ１０Ｄは、本発明における「ボトムズ本体の裏側の少なくとも臀部を覆うようにボトムズ本体の裏側に縫付けられた裏地と、伸縮性を有する生地からなる１対の分岐部分と１対の前部分岐部分とを有する略Ｔ字形の根元が分岐した形状の羽根部材とを具備する姿勢補整用ボトムズであって、ボトムズ本体の裏側前部上端に羽根部材の１対の前部分岐部分の先端が縫付けられ、裏地の臀部に１対の分岐部分の周囲の部分が縫付けられている姿勢補整用ボトムズ」に相当する。
【０１９７】
これによって、本実施の形態２の第４変形例にかかる姿勢補整用パンツ１０Ｄを着用することによって、羽根部材５Ｑには伸縮性によるより強力な引っ張り力がかかり、着用者の臀部が効果的に引き締められ、臀部が軽く上に引き上げられて骨盤を安定させる力が強くなり、座ったときに最も背筋が伸びるので正しい姿勢で座ることができ、かつ正しい姿勢で立ち、正しい姿勢で歩くことができるとともに、羽根部材５Ｑの１対の前部分岐部分５Ｑｄ，５Ｑｅによって下腹部が押え付けられるので、下腹部が引っ込んでより美しいプロポーションを得ることができる。
【０１９８】
このようにして、意識しなくても着用するだけで臀部がより効果的に引き締められて正しい姿勢をとることができるとともに、下腹部が引っ込んでより美しいプロポーションを得ることができ、さらに着用して歩行するだけで正しい歩き方をすることができて、筋肉に刺激を与え大臀筋・中臀筋が鍛えられて美しいプロポーションを得ることができる姿勢補整用ボトムズとなる。
【０１９９】
また、図１９（ｃ）に示されるように、本実施の形態２の第５変形例にかかる姿勢補整用パンツ１０Ｅにおいては、全体の構成は上記本実施の形態２の第４変形例にかかる姿勢補整用パンツ１０Ｄと同様であるが、伸縮性を有する生地としてのパワーネットからなる羽根部材５Ｒの股下部分に、左右１対の枝部分５Ｒｍが設けられており、これらの枝部分５Ｒｍが裏地１２にステッチ縫いで縫付けられている。
【０２００】
これによって、羽根部材５Ｑと同様に、羽根部材５Ｒの１対の前部分岐部分５Ｒｄ，５Ｒｅの先端がパンツ表地１１の裏側上端まで伸びて、ステッチ１１ｈによって同時にウエストベルト１１ａの裏側の下に縫付けられた部分と、１対の分岐部分５Ｒａ，５Ｒｂがステッチ縫い５Ｒｉによって裏地１２の臀部に縫付けられた部分との間の中間地点において、羽根部材５Ｒが枝部分５Ｒｍにおいて裏地１２に縫付けられているために、長い羽根部材５Ｒの中間部分が捩れたりずれたりして臀部を引き締める効果が半減するとともに穿き心地も悪くなる事態を、確実に防止することができる。
【０２０１】
これによって、本実施の形態２の第５変形例にかかる姿勢補整用パンツ１０Ｅを着用することによって、羽根部材５Ｒには伸縮性によるより強力な引っ張り力がかかり、着用者の臀部が効果的に引き締められ、臀部が軽く上に引き上げられて骨盤を安定させる力が強くなり、座ったときに最も背筋が伸びるので正しい姿勢で座ることができ、かつ正しい姿勢で立ち、正しい姿勢で歩くことができるとともに、羽根部材５Ｒの１対の前部分岐部分５Ｒｄ，５Ｒｅによって下腹部が押え付けられるので、下腹部が引っ込んでより美しいプロポーションを得ることができる。
【０２０２】
このようにして、意識しなくても着用するだけで臀部がより効果的に引き締められて正しい姿勢をとることができるとともに、下腹部が引っ込んでより美しいプロポーションを得ることができ、さらに着用して歩行するだけで正しい歩き方をすることができて、筋肉に刺激を与え大臀筋・中臀筋が鍛えられて美しいプロポーションを得ることができる姿勢補整用ボトムズとなる。
【０２０３】
次に、本実施の形態２の第６変形例及び第７変形例にかかる姿勢補整用ボトムズとしての姿勢補整用パンツについて、図２０を参照して説明する。なお、本実施の形態２の第６変形例及び第７変形例にかかる姿勢補整用パンツ１０Ｆ，１０Ｇの構造は、一部を除いて上記姿勢補整用パンツ１０Ｄ，１０Ｅと同様であるため、同一の部分には同一の符号を付して、一部説明を省略する。
【０２０４】
図２０（ａ）に示されるように、本実施の形態２の第６変形例にかかる姿勢補整用パンツ１０Ｆにおいては、上記第４変形例にかかる姿勢補整用パンツ１０Ｄと同様に、１対の前部分岐部分５Ｑｄ，５Ｑｅと１対の分岐部分５Ｑａ，５Ｑｂとを有する羽根部材５Ｑが裏地１２の下に縫付けられている。ここで、図２０（ａ），（ｂ）に示されるように、裏地１２がボトムズ本体としての婦人用パンツ表地１１の裏側前部の二つに割られた股上縫代１１Ｄの一ヶ所に、ステッチ止め１１Ｅによってステッチ止めされている。
【０２０５】
したがって、本実施の形態２の第６変形例にかかる姿勢補整用パンツ１０Ｆは、本発明における「裏地がボトムズ本体の裏側前部の二つに割られた股上縫代または片倒しされた股上縫代の一ヶ所にステッチ止めされている姿勢補整用ボトムズ」に相当する。
【０２０６】
これによって、上記第４変形例にかかる姿勢補整用パンツ１０Ｄの効果に加えて、裏地１２の股下近傍がボトムズ本体としての婦人用パンツ表地から浮き上がって弛みを生じて、その弛みが着用者の股部にくい込んでしまう事態を確実に防止することができ、穿き心地が損なわれることがない。
【０２０７】
また、図２０（ｃ）に示されるように、本実施の形態２の第７変形例にかかる姿勢補整用パンツ１０Ｇにおいても、裏地１２がボトムズ本体としての婦人用パンツ表地１１の裏側前部の二つに割られた股上縫代１１Ｄの一ヶ所に、ステッチ止め１１Ｅによってステッチ止めされている。そして、上記第５変形例にかかる姿勢補整用パンツ１０Ｅと同様に、伸縮性を有する生地としてのパワーネットからなる羽根部材５Ｒの股下部分に、左右１対の枝部分５Ｒｍが設けられており、これらの枝部分５Ｒｍが裏地１２にステッチ縫いで縫付けられている。
【０２０８】
したがって、上記第５変形例にかかる姿勢補整用パンツ１０Ｅの効果に加えて、裏地１２の股下近傍がボトムズ本体としての婦人用パンツ表地から浮き上がって弛みを生じて、その弛みが着用者の股部にくい込んでしまう事態を確実に防止することができ、穿き心地が損なわれることがない。
【０２０９】
このようにして、本実施の形態２の第６変形例及び第７変形例にかかる姿勢補整用パンツ１０Ｆ，１０Ｇにおいては、意識しなくても着用するだけで臀部がより効果的に引き締められて正しい姿勢をとることができるとともに、下腹部が引っ込んでより美しいプロポーションを得ることができ、さらに着用して歩行するだけで正しい歩き方をすることができて、筋肉に刺激を与え大臀筋・中臀筋が鍛えられて美しいプロポーションを得ることができ、穿き心地も損なわれることがない。
【０２１０】
本実施の形態２においては、姿勢補整用ボトムズとして女性用の姿勢補整用パンツ１０，１０Ａ，１０Ｂ，１０Ｃ，１０Ｄ，１０Ｅ，１０Ｆ，１０Ｇについて説明したが、これは通常の紳士用ズボン（パンツ）においては、高級品を除いて総裏地のものはなく、スーツのズボン等においても、膝が曲げ易いように前身頃の腰周りから両脚の膝下部分までのみに裏地が付いているものが殆どであるためである。紳士用ズボン（パンツ）においても、高級品やブランド品には総裏地のものがあるため、姿勢補整用パンツ１０，１０Ａ，１０Ｂ，１０Ｃ，１０Ｄ，１０Ｅ，１０Ｆ，１０Ｇと同様の構成によって、男性用の姿勢補整用ズボンを製造することもできる。
【０２１１】
また、本実施の形態２においては、裏地１２が伸縮性を有しない生地であるポリエステル生地からなり、総裏地である場合について説明したが、総裏地でなくても腰周りの前後のみの裏地や腰周りの背面のみの裏地でも同様な作用効果が得られる。また、伸縮性を有しない生地としては、ポリエステル生地に限られるものではなく、ナイロン生地、アクリル生地、絹（シルク）、麻、等を用いることができる。さらに、裏地１２が伸縮性を有する生地（サテンネット、ストレッチレース、トリコット、ニット生地、ポリウレタンが１％〜３０％混合されたポリウレタン混合生地、綿ストレッチ、スパンレックス、等）であっても良い。
【０２１２】
実施の形態３
次に、本発明の実施の形態３にかかる姿勢補整用ボトムズとしての調節機能付き接続具を具備した紳士用の姿勢補整用ズボン及び婦人用の姿勢補整用パンツについて、図２１及び図２２を参照して説明する。
【０２１３】
図２１（ａ）は本発明の実施の形態３にかかる姿勢補整用ボトムズを裏返した場合において調節機能付き接続具を外した場合の股下部分の構成を示す部分拡大図、（ｂ）は調節機能付き接続具を接続した場合の股下部分の構成を示す部分拡大図である。図２２（ａ）は本発明の実施の形態３の第１変形例にかかる姿勢補整用ボトムズを裏返した場合において調節機能付き接続具を外した場合の股下部分の構成を示す部分拡大図、（ｂ）は調節機能付き接続具を接続した場合の股下部分の構成を示す部分拡大図である。
【０２１４】
図２１（ａ），（ｂ）に示されるように、本実施の形態３にかかる姿勢補整用ボトムズ１５においては、ボトムズ本体１６としてのズボン表地またはパンツ表地の背面側のみに伸縮性を有する生地としてのパワーネットからなる裏地１７が縫付けられている。さらに、伸縮性を有する生地としてのパワーネットからなる羽根部材５Ｐの１対の分岐部分５Ｐａ，５Ｐｂは、ステッチ縫い５Ｐｉによって裏地１７の下に縫付けられているが、羽根部材５Ｐの分岐していない側５Ｐｄの先端５Ｐｅは、ボトムズ本体１６の裏側の前部としての下前持ち出し１６Ｃに縫付けられていない。
【０２１５】
図２１（ａ）に示されるように、羽根部材５Ｐの分岐していない側５Ｐｄには、２個のカギホック１８ａを有する雄側接続具１８Ａが取付けられており、ボトムズ本体１６の裏側の下前持ち出し１６Ｃには３段の接続位置にそれぞれ２個ずつのメンカン１８ｂが設けられた雌側接続具１８Ｂが取付けられている。そして、雄側接続具１８Ａの２個のカギホック１８ａを雌側接続具１８Ｂの３段の接続位置のどの２個のメンカン１８ｂに係合させるかによって、羽根部材５Ｐによる引っ張り力を調節することができる。
【０２１６】
したがって、雄側接続具１８Ａと雌側接続具１８Ｂとからなる調節機能付き接続具１８Ａ，１８Ｂは、本発明における「複数の接続位置を選択できる１組の調節機能付き接続具」に相当し、本実施の形態３にかかる姿勢補整用ボトムズ１５は、本発明における「羽根部材の分岐していない側がボトムズ本体の裏側の前部に縫付けられておらず、羽根部材の分岐していない側とボトムズ本体の裏側の前部とは、羽根部材の分岐していない側とボトムズ本体の裏側の前部とに取付けられた複数の接続位置を選択できる１組の調節機能付き接続具によって接続される姿勢補整用ボトムズ」に相当する。
【０２１７】
これによって、着用者の体型によって微妙に異なる羽根部材５Ｐによる引っ張り力を、最適な強さに調節することができる。図２１（ｂ）においては、雄側接続具１８Ａの２個のカギホック１８ａを雌側接続具１８Ｂの３段の接続位置のうちの最下段の２個のメンカン１８ｂに係合させた状態が示されている。したがって、羽根部材５Ｐによる引っ張り力は最も弱い状態に調節されている。
【０２１８】
そして、図２１（ｂ）に示されるように、羽根部材５Ｐは、調節機能付き接続具１８Ａ，１８Ｂによって分岐していない側５Ｐｄの先端５Ｐｅが下前持ち出し１６Ｃの先端に接続された部分と、ステッチ縫い５Ｐｉによって裏地１７の臀部の下に縫付けられた部分との間は縫付けられておらず、フリーの状態になっている。
【０２１９】
これによって、本実施の形態３にかかる姿勢補整用ボトムズ１５を着用することによって、羽根部材５Ｐには伸縮性による最適な引っ張り力がかかり、着用者の臀部が効果的に引き締められ、臀部が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０２２０】
また、上述の如く、臀部が引き締められると着用者の臀部に生ずる小さい窪みを押えることによって臀部が引き締まって小尻になるとともにヒップアップの効果が得られるが、本実施の形態３にかかる姿勢補整用ボトムズ１５においては、伸縮性を有する生地としてのパワーネットからなる裏地１７がこの小さい窪みの位置ＨＥＰを覆うように縫付けられているため、裏地１７を介して羽根部材５Ｐの引っ張り力によってこの小さい窪みが押えられ、臀部が引き締まって小尻になるとともにヒップアップの効果が得られる。
【０２２１】
次に、本実施の形態３の第１変形例にかかる姿勢補整用ボトムズ２０について、図２２を参照して説明する。
【０２２２】
図２２（ａ），（ｂ）に示されるように、本実施の形態３の第１変形例にかかる姿勢補整用ボトムズ２０においては、ボトムズ本体２１としてのズボン表地またはパンツ表地の背面側のみに伸縮性を有する生地としてのパワーネットからなる裏地２２が縫付けられている。さらに、伸縮性を有する生地としてのパワーネットからなる羽根部材５Ｐの１対の分岐部分５Ｐａ，５Ｐｂは、ステッチ縫い５Ｐｉによって裏地２２の下に縫付けられているが、羽根部材５Ｐの分岐していない側５Ｐｄの先端５Ｐｅは、ボトムズ本体２１の裏側の前部としての下前持ち出し２１Ｃに縫付けられていない。
【０２２３】
図２２（ａ）に示されるように、羽根部材５Ｐの分岐していない側５Ｐｄには、２個の凸側ホック２３ａを有する雄側接続具２３Ａが取付けられており、ボトムズ本体２１の裏側の下前持ち出し２１Ｃには４段の接続位置にそれぞれ２個ずつの凹側ホック２３ｂが設けられた雌側接続具２３Ｂが取付けられている。そして、雄側接続具２３Ａの２個の凸側ホック２３ａを雌側接続具２３Ｂの４段の接続位置のどの２個の凹側ホック２３ｂに嵌合させるかによって、羽根部材５Ｐによる引っ張り力を調節することができる。
【０２２４】
したがって、雄側接続具２３Ａと雌側接続具２３Ｂとからなる調節機能付き接続具２３Ａ，２３Ｂは、本発明における「複数の接続位置を選択できる１組の調節機能付き接続具」に相当し、本実施の形態３の第１変形例にかかる姿勢補整用ボトムズ２０は、本発明における「羽根部材の分岐していない側がボトムズ本体の裏側の前部に縫付けられておらず、羽根部材の分岐していない側とボトムズ本体の裏側の前部とは、羽根部材の分岐していない側とボトムズ本体の裏側の前部とに取付けられた複数の接続位置を選択できる１組の調節機能付き接続具によって接続される姿勢補整用ボトムズ」に相当する。
【０２２５】
これによって、着用者の体型によって微妙に異なる羽根部材５Ｐによる引っ張り力を、最適な強さに調節することができる。図２２（ｂ）においては、雄側接続具２３Ａの２個の凸側ホック２３ａを雌側接続具２３Ｂの４段の接続位置のうちの最下段の２個の凹側ホック２３ｂに嵌合させた状態が示されている。したがって、羽根部材５Ｐによる引っ張り力は最も弱い状態に調節されている。
【０２２６】
そして、図２２（ｂ）に示されるように、羽根部材５Ｐは、調節機能付き接続具２３Ａ，２３Ｂによって分岐していない側５Ｐｄの先端５Ｐｅが下前持ち出し２１Ｃの先端に接続された部分と、ステッチ縫い５Ｐｉによって裏地２２の臀部の下に縫付けられた部分との間は縫付けられておらず、フリーの状態になっている。
【０２２７】
これによって、本実施の形態３の第１変形例にかかる姿勢補整用ボトムズ２０を着用することによって、羽根部材５Ｐには伸縮性による最適な引っ張り力がかかり、着用者の臀部が効果的に引き締められ、臀部が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０２２８】
また、上述の如く、臀部が引き締められると着用者の臀部に生ずる小さい窪みを押えることによって臀部が引き締まって小尻になるとともにヒップアップの効果が得られるが、本実施の形態３の第１変形例にかかる姿勢補整用ボトムズ２０においては、伸縮性を有する生地としてのパワーネットからなる裏地２２がこの小さい窪みの位置ＨＥＰを覆うように縫付けられているため、裏地２２を介して羽根部材５Ｐの引っ張り力によってこの小さい窪みが押えられ、臀部が引き締まって小尻になるとともにヒップアップの効果が得られる。
【０２２９】
このようにして、本実施の形態３にかかる姿勢補整用ボトムズ１５，２０においては、意識しなくても着用するだけで、最適な引き締め力で臀部が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる。
【０２３０】
なお、本実施の形態３においては、「調節機能付き接続具」として複数の位置にメンカン１８ｂを取付けたもの１８Ｂと、その複数のメンカン１８ｂのいずれにも嵌合するカギホック１８ａを布地に取付けたもの１８Ａとを組にしたもの、及び複数の位置に凹側ホック２３ｂを取付けたもの２３Ｂと、その複数の凹側ホック２３ｂのいずれにも嵌合する凸側ホック２３ａを布地に取付けたもの２３Ｂとを組にしたものについて説明した。
【０２３１】
これ以外にも、「調節機能付き接続具」としては、複数の位置に凹側のドット釦を取付けたものと、その複数の凹側のドット釦のいずれにも嵌合する凸側のドット釦を布地に取付けたものとを組にしたもの、一組の接続布（マジックテープ（登録商標））、複数の位置に凹側のスプリングホックを取付けたものと、その複数の凹側のスプリングホックのいずれにも嵌合する凸側のスプリングホックを布地に取付けたものとを組にしたもの、等をも用いることができる。
【０２３２】
ここで、裏地及び羽根部材が伸縮性を有する生地からなるものである場合の効果について、図２３を参照して説明する。図２３（ａ）は羽根部材が伸縮性を有する生地からなる裏地の上（内側）に縫付けられている場合を示す模式図、（ｂ）は羽根部材が伸縮性を有する生地からなる裏地の下（外側）に縫付けられている場合を示す模式図である。
【０２３３】
図２３（ａ），（ｂ）に示されるように、ズボン表地やパンツ表地等のボトムズ本体は、一般に伸縮性に乏しい場合が多い。これに対して、羽根部材はパワーネット等の伸縮性を有する生地を一枚若しくは二枚または三枚以上重ねて用いており、裏地がパワーネット等の伸縮性を有する生地からなることによって、着用者に対してクッションとしての役割を果たして、フワッとした優しい穿き心地の姿勢補整用ボトムズとなる。
【０２３４】
ズボン表地やパンツ表地等のボトムズ本体が多少伸縮性を有する生地（例えばニット生地等）からなる場合においても、通常はパワーネット等の伸縮性を有する生地からなる裏地及び羽根部材の方が伸縮性が大きいので、上記の効果が得られる。また、表地の尻縫いは、尻縫いほつれを防ぐため本縫い（ステッチ縫い）の２本縫いか、くさり縫いが主流であるため表地の伸縮が抑えられ、カジュアルなボトムズ本体（Ｇパン、綿パン、チノパン、等）の場合には、多くは尻ぐりの縫い代を片倒しにしてステッチをかけるので、さらに表地の伸縮が抑えられる。
【０２３５】
このようにズボン表地やパンツ表地等のボトムズ本体の伸縮が抑えられる場合には、裏地及び羽根部材がパワーネット等の伸縮性を有する生地からなることによって、着用者に対してより大きなクッションとしての役割を果たして、フワッとした優しい穿き心地の姿勢補整用ボトムズとなる。
【０２３６】
上記各実施の形態においては、姿勢補整用ボトムズとして男性用の姿勢補整用ズボン及び女性用の姿勢補整用パンツについてのみ説明したが、同様な構成で男性用の姿勢補整用スラックス、姿勢補整用パンタロン、姿勢補整用Ｇパン（ジーンズ）、姿勢補整用綿パン、姿勢補整用チノパン、女性用の姿勢補整用クロップトパンツ、姿勢補整用パンタロン、姿勢補整用キュロットスカート、姿勢補整用キュロットパンツ、姿勢補整用Ｇパン（ジーンズ）、姿勢補整用綿パン、姿勢補整用チノパン、タイトスカート・フレアスカート・プリーツスカート等の姿勢補整用スカート、等を作製することができる。
【０２３７】
また、上記各実施の形態においては、「調節機能付き接続具」として、長さ方向の複数の位置にメンカンを取付けたものと、その複数のメンカンのいずれにも嵌合するカギホックを布地に取付けたものとを組にしたもの、長さ方向の複数の位置に凹側のホックを取付けたものと、その複数の凹側のホックのいずれにも嵌合する凸側のホックを布地に取付けたものとを組にしたもの、のみについて説明したが、これ以外にも「調節機能付き接続具」としては、複数の位置に凹側のドット釦を取付けたものと、その複数の凹側のドット釦のいずれにも嵌合する凸側のドット釦を布地に取付けたものとを組にしたものや、一組の接続布（マジックテープ（登録商標））や、複数の位置に凹側のスプリングホックを取付けたものと、その複数の凹側のスプリングホックのいずれにも嵌合する凸側のスプリングホックを布地に取付けたものとを組にしたもの、等をも用いることができる。
【０２３８】
さらに、上記各実施の形態においては、「調節機能付き接続具」を用いる場合として、羽根部材の分岐していない側または１対の前部分岐部分がボトムズ本体の裏側の前部または下着本体の裏側若しくは表側の前部に縫付けられていない場合についてのみ説明したが、羽根部材が１対の分岐部分と分岐していない側の端との間または１対の前部分岐部分との間で分離されている場合にも、分離部分が羽根部材の１対の分岐部分の側と羽根部材の分岐していない側または１対の前部分岐部分の側とに取付けられた複数の接続位置を選択できる「調節機能付き接続具」によって接続することができる。
【０２３９】
姿勢補整用ボトムズのその他の部分の構造、形状、数量、材質、大きさ（幅・長さ・厚さ等）、接続関係等についても、上記各実施の形態に限定されるものではない。
【図面の簡単な説明】
【０２４０】
【図１】図１は本発明の実施の形態１にかかる姿勢補整用ボトムズとしての姿勢補整用ズボンの上部の構成を示す斜視図である。
【図２】図２（ａ）は本発明の実施の形態１にかかる姿勢補整用ズボンを裏返した場合の上部の構成を示す正面図、（ｂ）は背面図である。
【図３】図３は本発明の実施の形態１にかかる姿勢補整用ズボンの股下部分の内部構造を示す部分拡大図である。
【図４】図４は人体の臀部周辺が引き締められた場合に臀部に生ずる左右１対の笑窪様の小さい窪みの位置を示す模式図である。
【図５】図５（ａ）は本発明の実施の形態１にかかる姿勢補整用ズボンに用いられる羽根部材の通常の縫付け方を示す図、（ｂ）は羽根部材の異なる縫付け方を示す図である。
【図６】図６（ａ）〜（ｉ）は本発明の実施の形態１にかかる姿勢補整用ズボンに用いられる羽根部材の様々な形状を示す図である。
【図７】図７（ａ）は本発明の実施の形態１にかかる姿勢補整用ズボンに用いられる羽根部材の縫付け方法を示す図、（ｂ）は羽根部材の異なる縫付け方法を示す図、（ｃ）は羽根部材のさらに異なる縫付け方法を示す図である。
【図８】図８は本発明の実施の形態１の第１変形例にかかる姿勢補整用ズボンの股下部分の内部構造を示す部分拡大図である。
【図９】図９は本発明の実施の形態１の第２変形例にかかる姿勢補整用ズボンを裏返した場合の上部の構成を示す正面図、（ｂ）は背面図である。
【図１０】図１０（ａ）は本発明の実施の形態１の第２変形例にかかる姿勢補整用ズボンを裏返した場合の上部を開いて示す部分展開図、（ｂ）は本発明の実施の形態１の第３変形例にかかる姿勢補整用ズボンを裏返した場合の上部を開いて示す部分展開図、（ｃ）は本発明の実施の形態１にかかる姿勢補整用ズボンを裏返した場合の上部を開いて示す部分展開図である。
【図１１】図１１（ａ）は本発明の実施の形態１の第４変形例にかかる姿勢補整用ズボンを裏返した場合の上部を開いて示す部分展開図、（ｂ）は本発明の実施の形態１の第４変形例にかかる姿勢補整用ズボンにおける裏地めくれ防止テープの部分を拡大して示す図、（ｃ）は裏地めくれ防止テープの別の取付け方を拡大して示す図、（ｄ）は裏地めくれ防止テープのさらに別の取付け方を拡大して示す図である。
【図１２】図１２（ａ）は本発明の実施の形態１の第５変形例にかかる姿勢補整用ズボンを裏返した場合の股下部分を示す部分拡大図、（ｂ）は本発明の実施の形態１の第６変形例にかかる姿勢補整用ズボンを裏返した場合の股下部分を示す部分拡大図である。
【図１３】図１３（ａ）は本発明の実施の形態１の第７変形例にかかる姿勢補整用ズボンを裏返した場合の羽根部材の縫付け方を示す部分拡大図、（ｂ）は羽根部材を縫付けた後の股下部分を示す部分拡大図である。
【図１４】図１４は本発明の実施の形態１の第８変形例にかかる姿勢補整用ズボンを裏返した場合の股下部分を示す部分拡大図である。
【図１５】図１５（ａ）は本発明の実施の形態１の第９変形例にかかる姿勢補整用ズボンを裏返した場合の股下部分を示す部分拡大図、（ｂ）は本発明の実施の形態１の第１０変形例にかかる姿勢補整用ズボンを裏返した場合の股下部分を示す部分拡大図である。
【図１６】図１６は本発明の実施の形態２にかかる姿勢補整用ボトムズとしての姿勢補整用パンツの上部の構成を示す斜視図である。
【図１７】図１７（ａ）は本発明の実施の形態２にかかる姿勢補整用パンツを裏返した場合の上部の構成を示す正面図、（ｂ）は背面図である。
【図１８】図１８（ａ）は本発明の実施の形態２の第１変形例にかかる姿勢補整用パンツを裏返した場合の股下部分の構成を示す部分拡大図、（ｂ）は本発明の実施の形態２の第２変形例にかかる姿勢補整用パンツを裏返した場合の股下部分の構成を示す部分拡大図、（ｃ）は本発明の実施の形態２の第３変形例にかかる姿勢補整用パンツを裏返した場合の股下部分の構成を示す部分拡大図である。
【図１９】図１９（ａ）は本発明の実施の形態２の第４変形例にかかる姿勢補整用パンツを裏返した場合の上部の構成を示す正面図、（ｂ）は背面図、（ｃ）は本発明の実施の形態２の第５変形例にかかる姿勢補整用パンツを裏返した場合の股下部分の構成を示す部分拡大図である。
【図２０】図２０（ａ）は本発明の実施の形態２の第６変形例にかかる姿勢補整用パンツを裏返した場合の股下部分の構成を示す部分拡大図、（ｂ）は裏地をボトムズ本体としての婦人用パンツ表地の股上縫代に縫付ける様子を示す説明図、（ｃ）は本発明の実施の形態２の第７変形例にかかる姿勢補整用パンツを裏返した場合の股下部分の構成を示す部分拡大図である。
【図２１】図２１（ａ）は本発明の実施の形態３にかかる姿勢補整用ボトムズを裏返した場合において調節機能付き接続具を外した場合の股下部分の構成を示す部分拡大図、（ｂ）は調節機能付き接続具を接続した場合の股下部分の構成を示す部分拡大図である。
【図２２】図２２（ａ）は本発明の実施の形態３の第１変形例にかかる姿勢補整用ボトムズを裏返した場合において調節機能付き接続具を外した場合の股下部分の構成を示す部分拡大図、（ｂ）は調節機能付き接続具を接続した場合の股下部分の構成を示す部分拡大図である。
【図２３】図２３（ａ）は羽根部材が伸縮性を有する生地からなる裏地の上（内側）に縫付けられている場合を示す模式図、（ｂ）は羽根部材が伸縮性を有する生地からなる裏地の下（外側）に縫付けられている場合を示す模式図である。
【符号の説明】
【０２４１】
１，１Ａ，１Ｂ，１Ｃ，１Ｄ，１Ｅ，１Ｆ，１Ｇ，１Ｈ，１Ｊ，１Ｋ，１０，１０Ａ，１０Ｂ，１０Ｃ，１０Ｄ，１０Ｅ，１０Ｆ，１０Ｇ，１５，２０  姿勢補整用ボトムズ
２，１１，１６，２１  ボトムズ本体
３，６，７，１２，１７，２２  裏地
５，５Ａ，５Ｂ，５Ｃ，５Ｄ，５Ｅ，５Ｆ，５Ｇ，５Ｈ，５Ｊ，５Ｋ，５Ｌ，５Ｍ，５Ｎ，５Ｐ，５Ｑ，５Ｒ  羽根部材
５ａ，５ｂ，５Ａａ，５Ａｂ，５Ｂａ，５Ｂｂ，５Ｃａ，５Ｃｂ，５Ｄａ，５Ｄｂ，５Ｅａ，５Ｅｂ，５Ｆａ，５Ｆｂ，５Ｇａ，５Ｇｂ，５Ｈａ，５Ｈｂ，５Ｊａ，５Ｊｂ，５Ｋａ，５Ｋｂ，５Ｌａ，５Ｌｂ，５Ｎａ，５Ｎｂ，５Ｑａ，５Ｑｂ，５Ｒａ，５Ｒｂ  １対の分岐部分
５ｃ，５Ａｃ，５Ｂｃ，５Ｃｃ，５Ｄｃ，５Ｅｃ，５Ｆｃ，５Ｇｃ，５Ｈｃ，５Ｊｃ，５Ｋｃ，５Ｌｃ，５Ｎｃ，５Ｑｃ，５Ｒｃ  中間点
５ｄ，５Ａｄ，５Ｂｄ，５Ｃｄ，５Ｄｄ，５Ｅｄ，５Ｆｄ，５Ｇｄ，５Ｈｄ，５Ｊｄ，５Ｋｄ，５Ｌｄ，５Ｍｄ，５Ｎｄ，５Ｐｄ  分岐していない側
５ｅ，５Ａｅ，５Ｂｅ，５Ｃｅ，５Ｄｅ，５Ｅｅ，５Ｆｅ，５Ｇｅ，５Ｈｅ，５Ｊｅ，５Ｋｅ，５Ｌｅ，５Ｍｅ，５Ｎｅ，５Ｐｅ  分岐していない側の端
５ｋ，５Ｐｋ  縫い止まり点
５Ｍｆ  切欠き
５Ｎｈ  ダブルステッチ
５Ｑｄ，５Ｑｅ，５Ｒｄ，５Ｒｅ  １対の前部分岐部分
５Ｒｍ  枝部分
８  裏地めくれ防止テープ
９Ａ，９Ｄ  股下縫代
９Ｂ，９Ｃ，１１Ｄ  股上縫代
１１Ｅ，１４，１４ａ  ステッチ止め
１８Ａ，１８Ｂ，２３Ａ，２３Ｂ  調節機能付き接続具
ＢＣ  後中心
ＦＣ  前中心
ＨＤ  臀部
ＨＥ  小さい窪み
ＨＥＰ  小さい窪みの位置
【図１】
2008050718.tif 000003
【図２】
2008050718.tif 000004
【図３】
2008050718.tif 000005
【図４】
2008050718.tif 000006
【図５】
2008050718.tif 000007
【図６】
2008050718.tif 000008
【図７】
2008050718.tif 000009
【図８】
2008050718.tif 000010
【図９】
2008050718.tif 000011
【図１０】
2008050718.tif 000012
【図１１】
2008050718.tif 000013
【図１２】
2008050718.tif 000014
【図１３】
2008050718.tif 000015
【図１４】
2008050718.tif 000016
【図１５】
2008050718.tif 000017
【図１６】
2008050718.tif 000018
【図１７】
2008050718.tif 000019
【図１８】
2008050718.tif 000020
【図１９】
2008050718.tif 000021
【図２０】
2008050718.tif 000022
【図２１】
2008050718.tif 000023
【図２２】
2008050718.tif 000024
【図２３】
2008050718.tif 000025